(57)【要約】  本開示のいくつかの態様は、一般にワイヤレス通信に関する。いくつかの態様では、ユーザ機器は、システム情報を含む通信を受信することと、ここにおいて、システム情報が、同期通信を搬送するリソースのセットを識別することに関連付けられた情報を含み、リソースのセットは、同期通信が搬送され得る潜在的リソースのセット中に含まれ；レートマッチングルールに少なくとも部分的に基づいて、システム情報を受信することに関連付けられたデレートマッチングを実施することと、ここにおいて、レートマッチングルールが、潜在的リソースのセットに関してデレートマッチングを実施することに関連付けられたルールであり、を行い得る。多数の他の態様が提供される。【選択図】図９
2020533887.tif 000002
【特許請求の範囲】
【請求項１】
ユーザ機器（ＵＥ）によって、システム情報を含む通信を受信することと、ここにおいて、
前記システム情報は、同期通信を搬送するリソースのセットを識別することに関連付けられた情報を含み、
リソースの前記セットは、同期通信が搬送され得る潜在的リソースのセット中に含まれる、
前記ＵＥによって、およびレートマッチングルールに少なくとも部分的に基づいて、前記システム情報を受信することに関連付けられたデレートマッチングを実施することと、
ここにおいて、前記レートマッチングルールは、潜在的リソースの前記セットに関してデレートマッチングを実施することに関連付けられたルールである、
を備える、方法。
【請求項２】
前記レートマッチングルールは、潜在的リソースの前記セットのすべてのリソースが同期通信を搬送することを示し、
前記デレートマッチングは、潜在的リソースの前記セットのすべてのリソースの周りのデレートマッチングに少なくとも部分的に基づいて実施される、
請求項１に記載の方法。
【請求項３】
前記レートマッチングルールは、潜在的リソースの前記セットのどのリソースも同期通信を搬送しないことを示し、
前記デレートマッチングは、潜在的リソースの前記セットのうちのどのリソースの周りのデレートマッチングもなしに実施される、
請求項１に記載の方法。
【請求項４】
前記レートマッチングルールは、リソースの前記セットが制御情報中で識別されることを示し、
前記デレートマッチングは、前記制御情報に従うデレートマッチングに少なくとも部分的に基づいて実施される、
請求項１に記載の方法。
【請求項５】
前記制御情報はダウンリンク制御情報（ＤＣＩ）である、請求項４に記載の方法。
【請求項６】
前記システム情報は、残存最小システム情報（ＲＭＳＩ）、システム情報ブロック１（ＳＩＢ１）、または最小システム情報（ＭＳＩ）である、請求項１に記載の方法。
【請求項７】
前記同期通信は、少なくとも１つの同期信号（ＳＳ）ブロックを含む、請求項１に記載の方法。
【請求項８】
前記通信は、物理ダウンリンク制御チャネル（ＰＤＣＣＨ）に関連付けられた、請求項１に記載の方法。
【請求項９】
前記通信は、物理ダウンリンク共有チャネル（ＰＤＳＣＨ）に関連付けられた、請求項１に記載の方法。
【請求項１０】
潜在的リソースの前記セットは、６４個の同期通信を搬送することに関連付けられたリソースを含む、請求項１に記載の方法。
【請求項１１】
前記通信は、ミリメートル波（ｍｍＷ）周波数に関連付けられた、請求項１に記載の方法。
【請求項１２】
前記システム情報は、前記デレートマッチングを実施することに少なくとも部分的に基づいて受信される、請求項１に記載の方法。
【請求項１３】
前記通信は第１の通信であり、リソースの前記セットはリソースの第１のセットであり、
前記方法は、さらに、
制御情報を含む第２の通信を受信することと、ここにおいて、
前記制御情報は、同期通信を搬送するリソースの第２のセットを識別する情報を含み、
リソースの前記第２のセットを識別する前記情報は、リソースの前記第１のセットを識別する情報をオーバーライドし、
リソースの前記第１のセットを識別する前記情報は、前記システム情報に少なくとも部分的に基づいて決定され、
リソースの前記第２のセットを識別する前記情報に少なくとも部分的に基づいて、前記第２の通信中に含まれる情報を決定することと、
をさらに備える、請求項１に記載の方法。
【請求項１４】
前記第２の通信がページング通信である、請求項１３に記載の方法。
【請求項１５】
前記第２の通信がランダムアクセス応答である、請求項１３に記載の方法。
【請求項１６】
前記制御情報がダウンリンク制御情報（ＤＣＩ）である、請求項１３に記載の方法。
【請求項１７】
前記通信がミニスロット中で通信される、請求項１に記載の方法。
【請求項１８】
ワイヤレス通信のためのデバイスであって、
メモリと、前記メモリに動作可能に結合された１つまたは複数のプロセッサとを備え、前記メモリおよび前記１つまたは複数のプロセッサは、
システム情報を含む通信を受信することと、ここにおいて、
前記システム情報は、同期通信を搬送するリソースのセットを識別することに関連付けられた情報を含み、
リソースの前記セットは、同期通信が搬送され得る潜在的リソースのセット中に含まれ、
レートマッチングルールに少なくとも部分的に基づいて、前記システム情報を受信することに関連付けられたデレートマッチングを実施することと、
ここにおいて、前記レートマッチングルールは、潜在的リソースの前記セットに関してデレートマッチングを実施することに関連付けられたルールである、
を行うように構成された、デバイス。
【請求項１９】
前記レートマッチングルールは、潜在的リソースの前記セットのどのリソースも同期通信を搬送しないことを示し、
前記デレートマッチングは、潜在的リソースの前記セットのうちのどのリソースの周りのデレートマッチングもなしに実施される、
請求項１８に記載のデバイス。
【請求項２０】
前記システム情報は、残存最小システム情報（ＲＭＳＩ）、システム情報ブロック１（ＳＩＢ１）、または最小システム情報（ＭＳＩ）である、請求項１８に記載のデバイス。
【請求項２１】
前記通信は、物理ダウンリンク制御チャネル（ＰＤＣＣＨ）に関連付けられた、請求項１８に記載のデバイス。
【請求項２２】
前記通信は、物理ダウンリンク共有チャネル（ＰＤＳＣＨ）に関連付けられた、請求項１８に記載のデバイス。
【請求項２３】
潜在的リソースの前記セットは、６４個の同期通信を搬送することに関連付けられたリソースを含む、請求項１８に記載のデバイス。
【請求項２４】
前記通信は、ミリメートル波（ｍｍＷ）周波数に関連付けられた、請求項１８に記載のデバイス。
【請求項２５】
基地局によって、少なくとも１つの同期通信を送信することと、ここにおいて、
前記少なくとも１つの同期通信は、リソースのセット中で送信され、
リソースの前記セットは、同期通信が搬送され得る潜在的リソースのセット中に含まれ、
前記基地局によって、システム情報を含む通信を送信することと、ここにおいて、
前記システム情報は、リソースの前記セットを識別することに関連付けられた情報を含み、
前記通信は、リソースの前記セット以外のリソース中で送信される、
を備える、方法。
【請求項２６】
前記システム情報は、残存最小システム情報（ＲＭＳＩ）、システム情報ブロック１（ＳＩＢ１）、または最小システム情報（ＭＳＩ）を備える、請求項２５に記載の方法。
【請求項２７】
前記同期通信は、少なくとも１つの同期信号（ＳＳ）ブロックを含む、請求項２５に記載の方法。
【請求項２８】
前記通信は、物理ダウンリンク共有チャネル（ＰＤＳＣＨ）に関連付けられた、請求項２５に記載の方法。
【請求項２９】
ワイヤレス通信のためのデバイスであって、
メモリと、前記メモリに動作可能に結合された１つまたは複数のプロセッサとを備え、前記メモリおよび前記１つまたは複数のプロセッサは、
少なくとも１つの同期通信を送信することと、ここにおいて、
前記少なくとも１つの同期通信は、リソースのセット中で送信され、
リソースの前記セットは、同期通信が搬送され得る潜在的リソースのセット中に含まれ、
システム情報を含む通信を送信することと、ここにおいて、
前記システム情報は、リソースの前記セットを識別することに関連付けられた情報を含み、
前記通信は、リソースの前記セット以外のリソース中で送信され、
を行うように構成された、デバイス。
【請求項３０】
前記システム情報は、残存最小システム情報（ＲＭＳＩ）、システム情報ブロック１（ＳＩＢ１）、または最小システム情報（ＭＳＩ）である、請求項２９に記載のデバイス。
【発明の詳細な説明】
【優先権の主張】
【０００１】
米国特許法第１１９条に基づく関連出願の相互参照
[0001]本出願は、参照により本明細書に組み込まれる、２０１７年９月１１日に出願された「TECHNIQUES AND APPARATUSES FOR REMAINING MINIMUM SYSTEM INFORMATION RATE MATCHING」と題する米国仮特許出願第６２／５５６，８１６号、および２０１８年９月７日に出願された「SYSTEM INFORMATION RATE MATCHING」と題する米国非仮特許出願第１６／１２４，５０１号の優先権を主張する。
【技術分野】
【０００２】
[0002]本開示の態様は、一般にワイヤレス通信に関し、より詳細には、システム情報（たとえば、残存最小システム情報（ＲＭＳＩ：remaining minimum system information）、システム情報ブロック１（ＳＩＢ１）、最小システム情報（ＭＳＩ）など）レートマッチングのための技法および装置に関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力など）を共有することによって複数のユーザとの通信をサポートすることが可能な多元接続技術を採用し得る。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、時分割同期符号分割多元接続（ＴＤ−ＳＣＤＭＡ）システム、およびロングタームエボリューション（ＬＴＥ（登録商標））を含む。ＬＴＥ／ＬＴＥアドバンストは、第３世代パートナーシッププロジェクト（３ＧＰＰ（登録商標））によって公表されたユニバーサルモバイルテレコミュニケーションズシステム（ＵＭＴＳ）モバイル規格の拡張のセットである。
【０００４】
[0004]ワイヤレス通信ネットワークは、いくつかのユーザ機器（ＵＥ）のための通信をサポートすることができるいくつかの基地局（ＢＳ）を含み得る。ユーザ機器（ＵＥ）は、ダウンリンクおよびアップリンクを介して基地局（ＢＳ）と通信し得る。ダウンリンク（または順方向リンク）はＢＳからＵＥへの通信リンクを指し、アップリンク（または逆方向リンク）はＵＥからＢＳへの通信リンクを指す。本明細書でより詳細に説明されるように、ＢＳは、ノードＢ、ｇＮＢ、アクセスポイント（ＡＰ）、ラジオヘッド、送信受信ポイント（ＴＲＰ）、新しい無線（ＮＲ）ＢＳ、５ＧノードＢなどと呼ばれることがある。
【０００５】
[0005]上記の多元接続技術は、異なるユーザ機器が都市、国家、地域、さらには地球規模で通信することを可能にする共通プロトコルを提供するために、様々な電気通信規格において採用されている。５Ｇと呼ばれることもある、新しい無線（ＮＲ）は、第３世代パートナーシッププロジェクト（３ＧＰＰ）によって公表されたＬＴＥモバイル規格の拡張のセットである。ＮＲは、スペクトル効率を改善すること、コストを下げること、サービスを改善すること、新しいスペクトルを利用すること、および、ダウンリンク（ＤＬ）上でサイクリックプレフィックス（ＣＰ）を伴う直交周波数分割多重（ＯＦＤＭ）（ＣＰ−ＯＦＤＭ）を使用して、アップリンク（ＵＬ）上でＣＰ−ＯＦＤＭおよび／または（たとえば、離散フーリエ変換拡散ＯＤＦＭ（ＤＦＴ−ｓ−ＯＦＤＭ）としても知られる）ＳＣ−ＦＤＭを使用して、他のオープン規格とより良く統合すること、ならびに、ビームフォーミング、多入力多出力（ＭＩＭＯ）アンテナ技術、およびキャリアアグリゲーションをサポートすることによって、モバイルブロードバンドインターネットアクセスをより良くサポートするように設計されている。しかしながら、モバイルブロードバンドアクセスに対する需要が増加し続けるにつれて、ＬＴＥおよびＮＲ技術のさらなる改善が必要である。好ましくは、これらの改善は、他の多元接続技術と、これらの技術を採用する電気通信規格とに適用可能であるべきである。
【発明の概要】
【０００６】
[0006]いくつかの態様では、ワイヤレス通信のための方法は、ＵＥによって、システム情報を含む通信を受信することと、ここにおいて、システム情報が、同期通信を搬送するリソースのセットを識別することに関連付けられた情報を含み、リソースのセットは、同期通信がそれの上で搬送され得る潜在的リソースのセット中に含まれる；ＵＥによって、およびレートマッチングルールに少なくとも部分的に基づいて、システム情報を受信することに関連付けられたデレートマッチング（de-rate matching）を実施することと、ここにおいて、レートマッチングルールが、潜在的リソースのセットに関してデレートマッチングを実施することに関連付けられたルールである、を含み得る。
【０００７】
[0007]いくつかの態様では、ワイヤレス通信のためのユーザ機器は、メモリと、メモリに動作可能に結合された１つまたは複数のプロセッサとを含み得る。メモリおよび１つまたは複数のプロセッサは、システム情報を含む通信を受信することと、ここにおいて、システム情報が、同期通信を搬送するリソースのセットを識別することに関連付けられた情報を含み、リソースのセットは、同期通信がそれの上で搬送され得る潜在的リソースのセット中に含まれる；レートマッチングルールに少なくとも部分的に基づいて、システム情報を受信することに関連付けられたデレートマッチングを実施することと、ここにおいて、レートマッチングルールが、潜在的リソースのセットに関してデレートマッチングを実施することに関連付けられたルールである、を行うように構成され得る。
【０００８】
[0008]いくつかの態様では、非一時的コンピュータ可読媒体は、ワイヤレス通信のための１つまたは複数の命令を記憶し得る。１つまたは複数の命令は、ＵＥの１つまたは複数のプロセッサによって実行されたとき、１つまたは複数のプロセッサに、システム情報を含む通信を受信することと、ここにおいて、システム情報が、同期通信を搬送するリソースのセットを識別することに関連付けられた情報を含み、リソースのセットは、同期通信がそれの上で搬送され得る潜在的リソースのセット中に含まれる；レートマッチングルールに少なくとも部分的に基づいて、システム情報を受信することに関連付けられたデレートマッチングを実施することと、ここにおいて、レートマッチングルールが、潜在的リソースのセットに関してデレートマッチングを実施することに関連付けられたルールである、を行わせ得る。
【０００９】
[0009]いくつかの態様では、ワイヤレス通信のための装置は、システム情報を含む通信を受信するための手段と、ここにおいて、システム情報が、同期通信を搬送するリソースのセットを識別することに関連付けられた情報を含み、リソースのセットは、同期通信がそれの上で搬送され得る潜在的リソースのセット中に含まれる；レートマッチングルールに少なくとも部分的に基づいて、システム情報を受信することに関連付けられたデレートマッチングを実施するための手段と、ここにおいて、レートマッチングルールが、潜在的リソースのセットに関してデレートマッチングを実施することに関連付けられたルールである、を含み得る。
【００１０】
[0010]いくつかの態様では、ワイヤレス通信のための方法は、ＵＥによって、通信に関連するレートマッチングを実施することと、ここにおいて、レートマッチングは、同期通信がそれの上で搬送され得る潜在的リソースのセットに関連付けられたレートマッチングルールに少なくとも部分的に基づいて実施される；ＵＥによって、レートマッチングを実施することに少なくとも部分的に基づいて通信を送信することと、を含み得る。
【００１１】
[0011]いくつかの態様では、ワイヤレス通信のためのＵＥは、メモリと、メモリに動作可能に結合された１つまたは複数のプロセッサとを含み得る。メモリおよび１つまたは複数のプロセッサは、通信に関連するレートマッチングを実施することと、ここにおいて、レートマッチングは、同期通信がそれの上で搬送され得る潜在的リソースのセットに関連付けられたレートマッチングルールに少なくとも部分的に基づいて実施される；レートマッチングを実施することに少なくとも部分的に基づいて通信を送信することと、を行うように構成され得る。
【００１２】
[0012]いくつかの態様では、非一時的コンピュータ可読媒体は、ワイヤレス通信のための１つまたは複数の命令を記憶し得る。１つまたは複数の命令は、ＵＥの１つまたは複数のプロセッサによって実行されたとき、１つまたは複数のプロセッサに、通信に関連するレートマッチングを実施することと、ここにおいて、レートマッチングは、同期通信がそれの上で搬送され得る潜在的リソースのセットに関連付けられたレートマッチングルールに少なくとも部分的に基づいて実施される；レートマッチングを実施することに少なくとも部分的に基づいて通信を送信することと、を行わせ得る。
【００１３】
[0013]いくつかの態様では、ワイヤレス通信のための装置は、通信に関連するレートマッチングを実施するための手段と、ここにおいて、レートマッチングは、同期通信がそれの上で搬送され得る潜在的リソースのセットに関連付けられたレートマッチングルールに少なくとも部分的に基づいて実施される；レートマッチングを実施することに少なくとも部分的に基づいて通信を送信するための手段と、を含み得る。
【００１４】
[0014]いくつかの態様では、ワイヤレス通信のための方法は、基地局によって、少なくとも１つの同期通信を送信することと、ここにおいて、少なくとも１つの同期通信が、リソースのセット中で送信され、リソースのセットは、同期通信がそれの上で搬送され得る潜在的リソースのセット中に含まれる；基地局によって、システム情報を含む通信を送信することと、ここにおいて、システム情報が、リソースのセットを識別することに関連付けられた情報を含み、通信が、リソースのセット以外のリソース中で送信される、を含み得る。
【００１５】
[0015]いくつかの態様では、ワイヤレス通信のための基地局は、メモリと、メモリに動作可能に結合された１つまたは複数のプロセッサとを含み得る。メモリおよび１つまたは複数のプロセッサは、少なくとも１つの同期通信を送信することと、ここにおいて、少なくとも１つの同期通信が、リソースのセット中で送信され、リソースのセットは、同期通信がそれの上で搬送され得る潜在的リソースのセット中に含まれる；システム情報を含む通信を送信することと、ここにおいて、システム情報が、リソースのセットを識別することに関連付けられた情報を含み、通信が、リソースのセット以外のリソース中で送信される、を行うように構成され得る。
【００１６】
[0016]いくつかの態様では、非一時的コンピュータ可読媒体は、ワイヤレス通信のための１つまたは複数の命令を記憶し得る。１つまたは複数の命令は、ＵＥの１つまたは複数のプロセッサによって実行されたとき、１つまたは複数のプロセッサに、少なくとも１つの同期通信を送信することと、ここにおいて、少なくとも１つの同期通信が、リソースのセット中で送信され、リソースのセットは、同期通信がそれの上で搬送され得る潜在的リソースのセット中に含まれる；システム情報を含む通信を送信することと、ここにおいて、システム情報が、リソースのセットを識別することに関連付けられた情報を含み、通信が、リソースのセット以外のリソース中で送信される、を行わせ得る。
【００１７】
[0017]いくつかの態様では、ワイヤレス通信のための装置は、少なくとも１つの同期通信を送信するための手段と、ここにおいて、少なくとも１つの同期通信が、リソースのセット中で送信され、リソースのセットは、同期通信がそれの上で搬送され得る潜在的リソースのセット中に含まれる；システム情報を含む通信を送信するための手段と、ここにおいて、システム情報が、リソースのセットを識別することに関連付けられた情報を含み、通信が、リソースのセット以外のリソース中で送信される、を含み得る。
【００１８】
[0018]態様は、概して、添付の図面および明細書を参照しながら本明細書で実質的に説明され、添付の図面および明細書によって示されるように、方法、装置、システム、コンピュータプログラム製品、非一時的コンピュータ可読媒体、ユーザ機器、ワイヤレス通信デバイス、および処理システムを含む。
【００１９】
[0019]上記は、以下の発明を実施するための形態がより良く理解され得るように、本開示による例の特徴および技術的利点についてやや広く概説した。追加の特徴および利点が以下で説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関連して以下の説明を検討するとより良く理解されよう。図の各々は、例示および説明の目的で与えられるものであり、特許請求の範囲の制限の定義として与えられるものではない。
【００２０】
[0020]本開示の上記で具陳された特徴が詳細に理解され得るように、添付の図面にその一部が示される態様を参照することによって、上記で手短に要約されたより具体的な説明が得られ得る。ただし、その説明は他の等しく有効な態様に通じ得るので、添付の図面は、本開示のいくつかの典型的な態様のみを示し、したがって、本開示の範囲を限定するものと見なされるべきではないことに留意されたい。異なる図面中の同じ参照番号は、同じまたは同様の要素を識別し得る。
【図面の簡単な説明】
【００２１】
【図１】[0021]本開示のいくつかの態様による、ワイヤレス通信ネットワークの一例を概念的に示すブロック図。
【図２】[0022]本開示のいくつかの態様による、ワイヤレス通信ネットワークにおいてユーザ機器（ＵＥ）と通信している基地局の一例を概念的に示すブロック図。
【図３Ａ】[0023]本開示の様々な態様による、ワイヤレス通信ネットワークにおけるフレーム構造の一例を概念的に示すブロック図。
【図３Ｂ】[0024]本開示の様々な態様による、ワイヤレス通信ネットワークにおける例示的な同期通信階層を概念的に示すブロック図。
【図４】[0025]本開示の様々な態様による、ノーマルサイクリックプレフィックスをもつ例示的なサブフレームフォーマットを概念的に示すブロック図。
【図５】[0026]本開示のいくつかの態様による、分散型無線アクセスネットワーク（ＲＡＮ）の例示的な論理アーキテクチャを示す図。
【図６】[0027]本開示のいくつかの態様による、分散型ＲＡＮの例示的な物理アーキテクチャを示す図。
【図７】[0028]本開示のいくつかの態様による、ダウンリンク（ＤＬ）中心サブフレームの一例を示す図。
【図８】[0029]本開示のいくつかの態様による、アップリンク（ＵＬ）中心サブフレームの一例を示す図。
【図９】[0030]本開示の様々な態様による、同期通信を搬送し得る潜在的リソースのセットに関連付けられたレートマッチングルールに少なくとも部分的に基づいて、ダウンリンク通信に関連付けられたデレートマッチングを実施する一例を示す図。
【図１０】[0031]本開示の様々な態様による、同期通信を搬送し得る潜在的リソースのセットに関連付けられたレートマッチングルールに少なくとも部分的に基づいて、アップリンク通信に関連付けられたレートマッチングを実施する一例を示す図。
【図１１】[0032]本開示の様々な態様による、たとえば、ユーザ機器によって実施される例示的なプロセスを示す図。
【図１２】[0033]本開示の様々な態様による、たとえば、ユーザ機器によって実施される例示的なプロセスを示す図。
【図１３】[0034]本開示の様々な態様による、たとえば、基地局によって実施される例示的なプロセスを示す図。
【発明を実施するための形態】
【００２２】
[0035]添付の図面を参照しながら本開示の様々な態様が以下でより十分に説明される。ただし、本開示は、多くの異なる形態で実施され得、本開示全体にわたって提示される任意の特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本開示の他の態様とは無関係に実装されるにせよ、本開示の他の態様と組み合わせられるにせよ、本明細書で開示される本開示のいかなる態様をもカバーするものであることを、当業者は諒解されたい。たとえば、本明細書に記載された任意の数の態様を使用して装置が実装され得、または方法が実施され得る。さらに、本開示の範囲は、本明細書に記載された本開示の様々な態様に加えてまたはそれらの態様以外に、他の構造、機能、または構造および機能を使用して実施されるそのような装置または方法をカバーするものとする。本明細書で開示される本開示のいずれの態様も、請求項の１つまたは複数の要素によって実施され得ることを理解されたい。
【００２３】
[0036]次に、様々な装置および技法を参照しながら電気通信システムのいくつかの態様が提示される。これらの装置および技法は、以下の発明を実施するための形態において説明され、（「要素」と総称される）様々なブロック、モジュール、構成要素、回路、ステップ、プロセス、アルゴリズムなどによって添付の図面に示される。これらの要素は、ハードウェア、ソフトウェア、またはそれらの組合せを使用して実装され得る。そのような要素がハードウェアとして実装されるか、ソフトウェアとして実装されるかは、特定の適用例および全体的なシステムに課される設計制約に依存する。
【００２４】
[0037]本明細書では、３Ｇおよび／または４Ｇのワイヤレス技術に一般に関連する用語を使用して態様が説明され得るが、本開示の態様は、ＮＲ技術を含む、５Ｇ以降など、他の世代ベースの通信システムにおいて適用され得ることに留意されたい。
【００２５】
[0038]図１は、本開示の態様が実施され得るネットワーク１００を示す図である。ネットワーク１００は、ＬＴＥネットワーク、あるいは、５ＧまたはＮＲネットワークなど、いくつかの他のワイヤレスネットワークであり得る。ワイヤレスネットワーク１００は、いくつかのＢＳ１１０（ＢＳ１１０ａ、ＢＳ１１０ｂ、ＢＳ１１０ｃ、およびＢＳ１１０ｄとして示される）と他のネットワークエンティティとを含み得る。ＢＳは、ユーザ機器（ＵＥ）と通信するエンティティであり、基地局、ＮＲ  ＢＳ、ノードＢ、ｇＮＢ、５ＧノードＢ（ＮＢ）、アクセスポイント、送信受信ポイント（ＴＲＰ）などと呼ばれることもある。各ＢＳは、特定の地理的エリアに通信カバレージを与え得る。３ＧＰＰでは、「セル」という用語は、この用語が使用されるコンテキストに応じて、このカバレージエリアをサービスするＢＳおよび／またはＢＳサブシステムのカバレージエリアを指すことができる。
【００２６】
[0039]ＢＳは、マクロセル、ピコセル、フェムトセル、および／または別のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：closed subscriber group）中のＵＥ）による制限付きアクセスを可能にし得る。マクロセルのためのＢＳはマクロＢＳと呼ばれることがある。ピコセルのためのＢＳはピコＢＳと呼ばれることがある。フェムトセルのためのＢＳは、フェムトＢＳまたはホームＢＳと呼ばれることがある。図１に示されている例では、ＢＳ１１０ａがマクロセル１０２ａのためのマクロＢＳであり得、ＢＳ１１０ｂがピコセル１０２ｂのためのピコＢＳであり得、ＢＳ１１０ｃがフェムトセル１０２ｃのためのフェムトＢＳであり得る。ＢＳは、１つまたは複数の（たとえば、３つの）セルをサポートし得る。「ｅＮＢ」、「基地局」、「ＮＲ  ＢＳ」、「ｇＮＢ」、「ＴＲＰ」、「ＡＰ」、「ノードＢ」、「５Ｇ  ＮＢ」、および「セル」という用語は、本明細書では互換的に使用され得る。
【００２７】
[0040]いくつかの例では、セルは必ずしも固定であるとは限らないことがあり、セルの地理的エリアは、モバイルＢＳのロケーションに従って移動することがある。いくつかの例では、ＢＳは、任意の好適なトランスポートネットワークを使用して、直接物理接続、仮想ネットワークなど、様々なタイプのバックホールインターフェースを通して、互いに、および／あるいはアクセスネットワーク１００中の１つまたは複数の他のＢＳまたはネットワークノード（図示せず）に相互接続され得る。
【００２８】
[0041]ワイヤレスネットワーク１００はまた、中継局を含み得る。中継局は、上流局（たとえば、ＢＳまたはＵＥ）からデータの送信を受信し、そのデータの送信を下流局（たとえば、ＵＥまたはＢＳ）に送ることができるエンティティである。中継局はまた、他のＵＥに対する送信を中継することができるＵＥであり得る。図１に示されている例では、中継局１１０ｄは、マクロＢＳ１１０ａとＵＥ１２０ｄとの間の通信を可能にするために、ＢＳ１１０ａおよびＵＥ１２０ｄと通信し得る。中継局は、リレーＢＳ、リレー基地局、リレーなどと呼ばれることもある。
【００２９】
[0042]ワイヤレスネットワーク１００は、異なるタイプのＢＳ、たとえば、マクロＢＳ、ピコＢＳ、フェムトＢＳ、リレーＢＳなどを含む異種ネットワークであり得る。これらの異なるタイプのＢＳは、異なる送信電力レベル、異なるカバレージエリア、およびワイヤレスネットワーク１００における干渉に対する異なる影響を有し得る。たとえば、マクロＢＳは、高い送信電力レベル（たとえば、５〜４０ワット）を有し得るが、ピコＢＳ、フェムトＢＳ、およびリレーＢＳは、より低い送信電力レベル（たとえば、０．１〜２ワット）を有し得る。
【００３０】
[0043]ネットワークコントローラ１３０は、ＢＳのセットに結合し得、これらのＢＳの協調および制御を行い得る。ネットワークコントローラ１３０はバックホールを介してＢＳと通信し得る。ＢＳはまた、たとえば、ワイヤレスバックホールまたはワイヤラインバックホールを介して直接または間接的に互いと通信し得る。
【００３１】
[0044]ＵＥ１２０（たとえば、１２０ａ、１２０ｂ、１２０ｃ）はワイヤレスネットワーク１００全体にわたって分散され得、各ＵＥは固定または移動であり得る。ＵＥは、アクセス端末、端末、移動局、加入者ユニット、局などと呼ばれることもある。ＵＥは、セルラーフォン（たとえば、スマートフォン）、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、カメラ、ゲームデバイス、ネットブック、スマートブック、ウルトラブック、医療デバイスまたは医療機器、生体センサー／生体デバイス、ウェアラブルデバイス（スマートウォッチ、スマート衣類、スマートグラス、スマートリストバンド、スマートジュエリー（たとえば、スマートリング、スマートブレスレット））、エンターテインメントデバイス（たとえば、音楽デバイスまたはビデオデバイス、あるいは衛星ラジオ）、車両構成要素または車両センサー、スマートメーター／スマートセンサー、工業用製造機器、全地球測位システムデバイス、あるいはワイヤレス媒体またはワイヤード媒体を介して通信するように構成された任意の他の好適なデバイスであり得る。
【００３２】
[0045]いくつかのＵＥは、マシンタイプ通信（ＭＴＣ）ＵＥあるいは発展型または拡張マシンタイプ通信（ｅＭＴＣ）ＵＥと見なされ得る。ＭＴＣ  ＵＥおよびｅＭＴＣ  ＵＥは、たとえば、基地局、別のデバイス（たとえば、リモートデバイス）、または何らかの他のエンティティと通信し得る、センサー、メーター、モニタ、ロケーションタグなど、ロボット、ドローン、リモートデバイスを含む。ワイヤレスノードは、たとえば、ワイヤードまたはワイヤレス通信リンクを介した、ネットワーク（たとえば、インターネットまたはセルラーネットワークなど、ワイドエリアネットワーク）のための、またはネットワークへの接続性を与え得る。いくつかのＵＥは、モノのインターネット（ＩｏＴ）デバイスと見なされ得、および／またはＮＢ−ＩｏＴ（狭帯域モノのインターネット）デバイスとして実装され得るとして実装され得る。いくつかのＵＥは、顧客構内機器（ＣＰＥ：Customer Premises Equipment）と見なされ得る。ＵＥ１２０は、プロセッサ構成要素、メモリ構成要素など、ＵＥ１２０の構成要素を格納するハウジング内に含まれ得る。
【００３３】
[0046]概して、任意の数のワイヤレスネットワークが所与の地理的エリア中に展開され得る。各ワイヤレスネットワークは、特定のＲＡＴをサポートし得、１つまたは複数の周波数上で動作し得る。ＲＡＴは、無線技術、エアインターフェースなどと呼ばれることもある。周波数は、キャリア、周波数チャネルなどと呼ばれることもある。各周波数は、異なるＲＡＴのワイヤレスネットワーク間での干渉を回避するために、所与の地理的エリア中の単一のＲＡＴをサポートし得る。いくつかの場合には、ＮＲまたは５Ｇ  ＲＡＴネットワークが展開され得る。
【００３４】
[0047]いくつかの例では、エアインターフェースへのアクセスがスケジュールされ得、スケジューリングエンティティ（たとえば、基地局）が、スケジューリングエンティティのサービスエリアまたはセル内の一部または全部のデバイスおよび機器の間での通信のためのリソースを割り振る。本開示内では、以下でさらに説明するように、スケジューリングエンティティは、１つまたは複数の従属(subordinate)エンティティのためのリソースをスケジュールすること、割り当てること、再構成すること、および解放することを担当し得る。すなわち、スケジュールされた通信のために、従属エンティティは、スケジューリングエンティティによって割り振られたリソースを利用する。
【００３５】
[0048]基地局は、スケジューリングエンティティとして機能し得る唯一のエンティティではない。すなわち、いくつかの例では、ＵＥが、１つまたは複数の従属エンティティ（たとえば、１つまたは複数の他のＵＥ）のためのリソースをスケジュールする、スケジューリングエンティティとして機能し得る。この例では、ＵＥは、スケジューリングエンティティとして機能しており、他のＵＥは、ワイヤレス通信のためにＵＥによってスケジュールされたリソースを利用する。ＵＥは、ピアツーピア（Ｐ２Ｐ）ネットワークにおいて、および／またはメッシュネットワークにおいてスケジューリングエンティティとして機能し得る。メッシュネットワーク例では、ＵＥは、スケジューリングエンティティと通信することに加えて、オプションで、互いと直接通信し得る。
【００３６】
[0049]したがって、時間周波数リソースへのスケジュールされたアクセスを伴い、セルラー構成と、Ｐ２Ｐ構成と、メッシュ構成とを有するワイヤレス通信ネットワークでは、スケジューリングエンティティおよび１つまたは複数の従属エンティティは、スケジュールされたリソースを利用して通信し得る。
【００３７】
[0050]上記のように、図１は一例として与えられるにすぎない。他の例が可能であり、図１に関して説明されたものとは異なり得る。
【００３８】
[0051]図２は、図１中の基地局のうちの１つであり得る基地局１１０および図１中のＵＥのうちの１つであり得るＵＥ１２０の設計のブロック図を示す。基地局１１０はＴ個のアンテナ２３４ａ〜２３４ｔを装備し得、ＵＥ１２０はＲ個のアンテナ２５２ａ〜２５２ｒを装備し得、ここで、概してＴ≧１およびＲ≧１である。
【００３９】
[0052]基地局１１０において、送信プロセッサ２２０が、１つまたは複数のＵＥについてデータソース２１２からデータを受信し、ＵＥから受信されたチャネル品質インジケータ（ＣＱＩ）に少なくとも部分的に基づいて各ＵＥのための１つまたは複数の変調およびコーディング方式（ＭＣＳ）を選択し、そのＵＥのために選択された（１つまたは複数の）ＭＣＳに少なくとも部分的に基づいて各ＵＥのためのデータを処理（たとえば、符号化および変調）し、すべてのＵＥについてデータシンボルを与え得る。送信プロセッサ２２０はまた、（たとえば、半静的リソース区分情報（ＳＲＰＩ：semi-static resource partitioning information）などのための）システム情報および制御情報（たとえば、ＣＱＩ要求、許可、上位レイヤシグナリングなど）を処理し、オーバーヘッドシンボルおよび制御シンボルを与え得る。送信プロセッサ２２０はまた、基準信号（たとえば、セル固有基準信号（ＣＲＳ：cell-specific reference signal））および同期信号（たとえば、１次同期信号（ＰＳＳ：primary synchronization signal）および２次同期信号（ＳＳＳ：secondary synchronization signal））のための基準シンボルを生成し得る。送信（ＴＸ）多入力多出力（ＭＩＭＯ）プロセッサ２３０は、適用可能な場合、データシンボル、制御シンボル、オーバーヘッドシンボル、および／または基準シンボルに対して空間処理（たとえば、プリコーディング）を実施し得、Ｔ個の出力シンボルストリームをＴ個の変調器（ＭＯＤ）２３２ａ〜２３２ｔに与え得る。各変調器２３２は、出力サンプルストリームを取得するために、（たとえば、ＯＦＤＭなどのための）それぞれの出力シンボルストリームを処理し得る。各変調器２３２は、さらに、ダウンリンク信号を取得するために、出力サンプルストリームを処理（たとえば、アナログに変換、増幅、フィルタ処理、およびアップコンバート）し得る。変調器２３２ａ〜２３２ｔからのＴ個のダウンリンク信号は、それぞれＴ個のアンテナ２３４ａ〜２３４ｔを介して送信され得る。以下でより詳細に説明されるいくつかの態様によれば、同期信号は、追加情報を伝達するためにロケーション符号化を用いて生成され得る。
【００４０】
[0053]ＵＥ１２０において、アンテナ２５２ａ〜２５２ｒが、基地局１１０および／または他の基地局からダウンリンク信号を受信し得、受信信号をそれぞれ復調器（ＤＥＭＯＤ）２５４ａ〜２５４ｒに与え得る。各復調器２５４は、入力サンプルを取得するために、受信信号を調整（たとえば、フィルタ処理、増幅、ダウンコンバート、およびデジタル化）し得る。各復調器２５４は、さらに、受信シンボルを取得するために、（たとえば、ＯＦＤＭなどのための）入力サンプルを処理し得る。ＭＩＭＯ検出器２５６は、すべてのＲ個の復調器２５４ａ〜２５４ｒから受信シンボルを取得し、適用可能な場合、受信シンボルに対してＭＩＭＯ検出を実施し、検出されたシンボルを与え得る。受信プロセッサ２５８は、検出されたシンボルを処理（たとえば、復調および復号）し、ＵＥ１２０のための復号されたデータをデータシンク２６０に与え、復号された制御情報およびシステム情報をコントローラ／プロセッサ２８０に与え得る。チャネルプロセッサは、基準信号受信電力（ＲＳＲＰ）、受信信号強度インジケータ（ＲＳＳＩ）、基準信号受信品質（ＲＳＲＱ）、チャネル品質インジケータ（ＣＱＩ）などを決定し得る。
【００４１】
[0054]アップリンク上では、ＵＥ１２０において、送信プロセッサ２６４が、データソース２６２からのデータと、コントローラ／プロセッサ２８０からの（たとえば、ＲＳＲＰ、ＲＳＳＩ、ＲＳＲＱ、ＣＱＩなどを備える報告のための）制御情報とを受信および処理し得る。送信プロセッサ２６４はまた、１つまたは複数の基準信号のための基準シンボルを生成し得る。送信プロセッサ２６４からのシンボルは、適用可能な場合はＴＸ  ＭＩＭＯプロセッサ２６６によってプリコーディングされ、（たとえば、ＤＦＴ−ｓ−ＯＦＤＭ、ＣＰ−ＯＦＤＭなどのために）変調器２５４ａ〜２５４ｒによってさらに処理され、基地局１１０に送信され得る。基地局１１０において、ＵＥ１２０および他のＵＥからのアップリンク信号は、アンテナ２３４によって受信され、復調器２３２によって処理され、適用可能な場合はＭＩＭＯ検出器２３６によって検出され、ＵＥ１２０によって送られた、復号されたデータおよび制御情報を取得するために、受信プロセッサ２３８によってさらに処理され得る。受信プロセッサ２３８は、復号されたデータをデータシンク２３９に与え、復号された制御情報をコントローラ／プロセッサ２４０に与え得る。基地局１１０は、通信ユニット２４４を含み、通信ユニット２４４を介してネットワークコントローラ１３０に通信し得る。ネットワークコントローラ１３０は、通信ユニット２９４と、コントローラ／プロセッサ２９０と、メモリ２９２とを含み得る。
【００４２】
[0055]いくつかの態様では、ＵＥ１２０の１つまたは複数の構成要素は、ハウジング中に含まれ得る。図２中のコントローラ／プロセッサ２４０および２８０ならびに／または（１つまたは複数の）任意の他の構成要素は、レートマッチングルールに少なくとも部分的に基づいて、通信に関連付けられたデレートマッチングまたはレートマッチングに関係する動作を実施するための、それぞれ、基地局１１０およびＵＥ１２０における動作を指示し得る。たとえば、ＵＥ１２０におけるコントローラ／プロセッサ２８０ならびに／または他のプロセッサおよびモジュールは、レートマッチングルールに少なくとも部分的に基づいて、通信に関連付けられたデレートマッチングまたはレートマッチングを実施するための、ＵＥ１２０の動作を実施または指示し得る。たとえば、ＵＥ１２０におけるコントローラ／プロセッサ２８０ならびに／または他のコントローラ／プロセッサおよびモジュールは、たとえば、図１１のプロセス１１００、図１２のプロセス１２００、および／または本明細書で説明される他のプロセスの動作を実施または指示し得る。別の例として、基地局１１０におけるコントローラ／プロセッサ２４０ならびに／または他のコントローラ／プロセッサおよびモジュールは、たとえば、図１３のプロセス１３００および／または本明細書で説明される他のプロセスの動作を実施または指示し得る。いくつかの態様では、例示的なプロセス１１００、例示的なプロセス１２００、例示的なプロセス１３００、および／または本明細書で説明される技法のための他のプロセスを実施するために、図２に示されている構成要素のうちの１つまたは複数が採用され得る。メモリ２４２および２８２は、それぞれ基地局１１０およびＵＥ１２０のためのデータおよびプログラムコードを記憶し得る。スケジューラ２４６は、ダウンリンク上および／またはアップリンク上でのデータ送信のためにＵＥをスケジュールし得る。
【００４３】
[0056]いくつかの態様では、ＵＥ１２０は、システム情報を含む通信を受信するための手段、ここにおいて、システム情報が、同期通信を搬送するリソースのセットを識別することに関連付けられた情報を含み、リソースのセットは、同期通信がそれの上で搬送され得る潜在的リソースのセット中に含まれる、と、レートマッチングルールに少なくとも部分的に基づいて、システム情報を受信することに関連付けられたデレートマッチングを実施するための手段、ここにおいて、レートマッチングルールが、潜在的リソースのセットに関してデレートマッチングを実施することに関連付けられたルールである、と、などを含み得る。いくつかの態様では、そのような手段は、図２に関して説明されるＵＥ１２０の１つまたは複数の構成要素を含み得る。
【００４４】
[0057]いくつかの態様では、ＵＥ１２０は、通信に関連するレートマッチングを実施するための手段、ここにおいて、レートマッチングは、同期通信がそれの上で搬送され得る潜在的リソースのセットに関連付けられたレートマッチングルールに少なくとも部分的に基づいて実施される、と、レートマッチングを実施することに少なくとも部分的に基づいて通信を送信するための手段、と、などを含み得る。いくつかの態様では、そのような手段は、図２に関して説明されるＵＥ１２０の１つまたは複数の構成要素を含み得る。
【００４５】
[0058]上記のように、図２は一例として与えられるにすぎない。他の例が可能であり、図２に関して説明されたものとは異なり得る。
【００４６】
[0059]図３Ａは、電気通信システム（たとえば、ＮＲ）におけるＦＤＤのための例示的なフレーム構造３００を示す。ダウンリンクおよびアップリンクの各々についての送信タイムラインは、無線フレームの単位に区分され得る。各無線フレームは、所定の持続時間を有し得、（たとえば、０〜Ｚ−１のインデックスをもつ）Ｚ（Ｚ≧１）個のサブフレームのセットへの区分であり得る。各サブフレームはスロットのセットを含み得る（たとえば、サブフレームごとの２つのスロットが図３Ａに示されている）。各スロットはＬ個のシンボル期間のセットを含み得る。たとえば、各スロットは、（たとえば、図３Ａに示されているような）７つのシンボル期間、１５個のシンボル期間などを含み得る。サブフレームが２つのスロットを含む場合、サブフレームは２Ｌ個のシンボル期間を含み得、ここで、各サブフレーム中の２Ｌ個のシンボル期間は、０〜２Ｌ−１のインデックスを割り当てられ得る。いくつかの態様では、ＦＤＤのためのスケジューリングユニットは、フレームベース、サブフレームベース、スロットベース、シンボルベースなどでよい。
【００４７】
[0060]本明細書では、フレーム、サブフレーム、スロットなどに関していくつかの技法が説明されるが、これらの技法は、５Ｇ  ＮＲにおいて「フレーム」、「サブフレーム」、「スロット」などとは異なる用語を使用して参照され得る、他のタイプのワイヤレス通信構造に等しく適用され得る。いくつかの態様では、ワイヤレス通信構造は、ワイヤレス通信規格および／またはプロトコルによって定義される周期時間限定通信ユニット（periodic time-bounded communication unit）を指し得る。追加または代替として、図３Ａに示されているものとは異なる、ワイヤレス通信構造の構成が使用され得る。
【００４８】
[0061]いくつかの電気通信（たとえば、ＮＲ）では、ＢＳは同期信号を送信し得る。たとえば、ＢＳは、ＢＳによってサポートされる各セルのためのダウンリンク上で、１次同期信号（ＰＳＳ）、２次同期信号（ＳＳＳ）、３次同期信号（ＴＳＳ：tertiary synchronization signal）などを送信し得る。ＰＳＳおよびＳＳＳは、セル探索および収集のためにＵＥによって使用され得る。たとえば、ＰＳＳは、シンボルタイミングを決定するためにＵＥによって使用され得、ＳＳＳは、ＢＳに関連付けられた物理セル識別子とフレームタイミングとを決定するためにＵＥによって使用され得る。ＢＳは、物理ブロードキャストチャネル（ＰＢＣＨ）をも送信し得る。ＰＢＣＨは、ＵＥによる初期アクセスをサポートするシステム情報など、いくつかのシステム情報を搬送し得る。
【００４９】
[0062]いくつかの態様では、基地局は、図３Ｂに関して以下で説明される、複数の同期通信（たとえば、同期信号（ＳＳ）ブロック）を含む同期通信階層（たとえば、ＳＳ階層）に従って、ＰＳＳ、ＳＳＳ、および／またはＰＢＣＨを送信し得る。
【００５０】
[0063]図３Ｂは、同期通信階層の一例である、例示的なＳＳ階層を概念的に示すブロック図である。図３Ｂに示されているように、ＳＳ階層は、複数のＳＳバースト（ＳＳバースト０〜ＳＳバーストＢ−１として識別され、ここで、Ｂは、基地局によって送信され得るＳＳバーストの最大繰返し数である）を含み得る、ＳＳバーストセットを含み得る。さらに示されているように、各ＳＳバーストは、１つまたは複数のＳＳブロック（ＳＳブロック０〜ＳＳブロック（ｂmax_SS-1）として識別され、ここで、ｂmax_SS-1は、ＳＳバーストによって搬送され得るＳＳブロックの最大数である）を含み得る。いくつかの態様では、異なるＳＳブロックは、別様にビームフォーミングされ得る。ＳＳバーストセットは、図３Ｂに示されているように、Ｘミリ秒ごとになど、ワイヤレスノードによって周期的に送信され得る。いくつかの態様では、ＳＳバーストセットは、図３ＢにＹミリ秒として示される、固定長または動的な長さを有し得る。
【００５１】
[0064]図３Ｂに示されているＳＳバーストセットは、同期通信セットの一例であり、他の同期通信セットが、本明細書で説明される技法に関して使用され得る。さらに、図３Ｂに示されているＳＳブロックは、同期通信の一例であり、他の同期通信が、本明細書で説明される技法に関して使用され得る。
【００５２】
[0065]いくつかの態様では、ＳＳブロックは、ＰＳＳ、ＳＳＳ、ＰＢＣＨ、ならびに／あるいは他の同期信号（たとえば、ＴＳＳ）および／または同期チャネルを搬送するリソースを含む。いくつかの態様では、複数のＳＳブロックがＳＳバースト中に含まれ、ＰＳＳ、ＳＳＳ、および／またはＰＢＣＨは、ＳＳバーストの各ＳＳブロックにわたって同じであり得る。いくつかの態様では、単一のＳＳブロックがＳＳバースト中に含まれ得る。いくつかの態様では、ＳＳブロックは、長さが少なくとも４つのシンボル期間であり得、ここで、各シンボルは、（たとえば、１つのシンボルを占有する）ＰＳＳ、（たとえば、１つのシンボルを占有する）ＳＳＳ、および／または（たとえば、２つのシンボルを占有する）ＰＢＣＨのうちの１つまたは複数を搬送する。
【００５３】
[0066]いくつかの態様では、同期通信（たとえば、ＳＳブロック）は、送信のための基地局同期通信を含み得、これは、Ｔｘ  ＢＳ−ＳＳ、Ｔｘ  ｇＮＢ−ＳＳなどと呼ばれることがある。いくつかの態様では、同期通信（たとえば、ＳＳブロック）は、受信のための基地局同期通信を含み得、これは、Ｒｘ  ＢＳ−ＳＳ、Ｒｘ  ｇＮＢ−ＳＳなどと呼ばれることがある。いくつかの態様では、同期通信（たとえば、ＳＳブロック）は、送信のためのユーザ機器同期通信を含み得、これは、Ｔｘ  ＵＥ−ＳＳ、Ｔｘ  ＮＲ−ＳＳなどと呼ばれることがある。（たとえば、第１の基地局による送信および第２の基地局による受信のための）基地局同期通信は、基地局間の同期のために構成され得、（たとえば、基地局による送信およびユーザ機器による受信のための）ユーザ機器同期通信は、基地局とユーザ機器との間の同期のために構成され得る。
【００５４】
[0067]いくつかの態様では、基地局同期通信は、ユーザ機器同期通信とは異なる情報を含み得る。たとえば、１つまたは複数の基地局同期通信は、ＰＢＣＨ通信を除外し得る。追加または代替として、基地局同期通信とユーザ機器同期通信とは、同期通信の送信または受信のために使用される時間リソース、同期通信の送信または受信のために使用される周波数リソース、同期通信の周期性、同期通信の波形、同期通信の送信または受信のために使用されるビームフォーミングパラメータなどのうちの１つまたは複数に関して異なり得る。
【００５５】
[0068]いくつかの態様では、ＳＳブロックのシンボルは、図３Ｂに示されているように、連続する。いくつかの態様では、ＳＳブロックのシンボルは非連続である。同様に、いくつかの態様では、ＳＳバーストの１つまたは複数のＳＳブロックは、１つまたは複数のサブフレーム中に、連続する無線リソース（たとえば、連続するシンボル期間）中で送信され得る。追加または代替として、ＳＳバーストの１つまたは複数のＳＳブロックは、非連続無線リソース中で送信され得る。
【００５６】
[0069]いくつかの態様では、ＳＳバーストは、バースト期間を有し得、それにより、ＳＳバーストのＳＳブロックは、バースト期間に従って、ＢＳによって送信される。言い換えれば、ＳＳブロックは、各ＳＳバースト中に繰り返され得る。いくつかの態様では、ＳＳバーストセットは、バーストセット周期性を有し得、それにより、ＳＳバーストセットのＳＳバーストは、固定バーストセット周期性に従って、ＢＳによって送信される。言い換えれば、ＳＳバーストは、各ＳＳバーストセット中に繰り返され得る。
【００５７】
[0070]ＢＳは、いくつかのサブフレーム中の物理ダウンリンク共有チャネル（ＰＤＳＣＨ）上で、マスタ情報ブロック（ＭＩＢ）、システム情報ブロック（ＳＩＢ）（たとえば、ＳＩＢ１）、残存最小システム情報（ＲＭＳＩ）、最小システム情報（ＭＳＩ）など、システム情報を送信し得る。ＢＳは、サブフレームのＢ個のシンボル期間中に、物理ダウンリンク制御チャネル（ＰＤＣＣＨ）上で制御情報／データを送信し得、ここで、Ｂは各サブフレームについて構成可能であり得る。ＢＳは、各サブフレームの残りのシンボル期間中に、ＰＤＳＣＨ上でトラフィックデータおよび／または他のデータを送信し得る。
【００５８】
[0071]上記のように、図３Ａおよび図３Ｂは例として与えられている。他の例が可能であり、図３Ａおよび図３Ｂに関して説明されたものとは異なり得る。
【００５９】
[0072]図４は、ノーマルサイクリックプレフィックスをもつ例示的なサブフレームフォーマット４１０を示す。利用可能な時間周波数リソースはリソースブロックに区分され得る。各リソースブロックは、１つのスロット中のサブキャリアへのセット（たとえば、１２個のサブキャリア）をカバーし得、いくつかのリソース要素を含み得る。各リソース要素は、１つのシンボル期間中に（たとえば、時間的に）１つのサブキャリアをカバーし得、実数値または複素数値であり得る１つの変調シンボルを送るために使用され得る。いくつかの態様では、サブフレームフォーマット４１０は、本明細書で説明されるように、ＰＤＣＣＨ通信、ＰＤＳＣＨ通信、ブロック（たとえば、ＰＳＳ、ＳＳＳ、ＰＢＣＨなどを搬送するブロック）などの送信のために使用され得る。
【００６０】
[0073]いくつかの電気通信システム（たとえば、ＮＲ）におけるＦＤＤのためのダウンリンクおよびアップリンクの各々について、インターレース構造が使用され得る。たとえば、０〜Ｑ−１のインデックスをもつＱ個のインターレースが定義され得、ここで、Ｑは、４、６、８、１０、または何らかの他の値に等しいことがある。各インターレースは、Ｑ個のフレームだけ離間されたサブフレームを含み得る。特に、インターレースｑは、サブフレームｑ、ｑ＋Ｑ、ｑ＋２Ｑなどを含み得、ここで、ｑ∈｛０，．．．，Ｑ−１｝である。
【００６１】
[0074]ＵＥは、複数のＢＳのカバレージ内に位置し得る。そのＵＥをサービスするために、これらのＢＳのうちの１つが選択され得る。サービングＢＳは、受信信号強度、受信信号品質、経路損失など、様々な基準に少なくとも部分的に基づいて選択され得る。受信信号品質は、信号対雑音干渉比（ＳＩＮＲ）、または基準信号受信品質（ＲＳＲＱ）、または何らかの他のメトリックによって定量化され得る。ＵＥは、ＵＥが１つまたは複数の干渉ＢＳからの高い干渉を観測し得る支配的干渉シナリオにおいて動作し得る。
【００６２】
[0075]本明細書で説明される例の態様は、ＮＲまたは５Ｇ技術に関連付けられ得るが、本開示の態様は、他のワイヤレス通信システムとともに適用可能であり得る。新しい無線（ＮＲ）は、（たとえば、直交周波数分割多元接続（ＯＦＤＭＡ）ベースエアインターフェース以外の）新しいエアインターフェース、または（たとえば、インターネットプロトコル（ＩＰ）以外の）固定トランスポートレイヤに従って動作するように構成された無線を指し得る。態様では、ＮＲは、アップリンク上で（本明細書ではサイクリックプレフィックスＯＦＤＭまたはＣＰ−ＯＦＤＭと呼ばれる）ＣＰを伴うＯＦＤＭおよび／またはＳＣ−ＦＤＭを利用し得、ダウンリンク上でＣＰ−ＯＦＤＭを利用し得、ＴＤＤを使用する半二重動作のサポートを含む。態様では、ＮＲは、たとえば、アップリンク上で（本明細書ではＣＰ−ＯＦＤＭと呼ばれる）ＣＰを伴うＯＦＤＭおよび／または離散フーリエ変換拡散直交周波数分割多重（ＤＦＴ−ｓ−ＯＦＤＭ）を利用し得、ダウンリンク上でＣＰ−ＯＦＤＭを利用し得、ＴＤＤを使用する半二重動作のサポートを含む。ＮＲは、拡張モバイルブロードバンド（ｅＭＢＢ）サービスターゲッティング広帯域幅（たとえば、８０メガヘルツ（ＭＨｚ）以上）、ミリメートル波（ｍｍＷ）ターゲッティング高キャリア周波数（たとえば、６０ギガヘルツ（ＧＨｚ））、マッシブＭＴＣ（ｍＭＴＣ）ターゲッティング非後方互換ＭＴＣ技法、および／またはミッションクリティカルターゲッティング超高信頼低遅延通信（ＵＲＬＬＣ）サービスを含み得る。
【００６３】
[0076]いくつかの態様では、１００ＭＨＺの単一のコンポーネントキャリア帯域幅が、サポートされ得る。ＮＲリソースブロックは、０．１ミリ秒（ｍｓ）持続時間にわたって、６０キロヘルツ（ｋＨｚ）、１２０ｋＨｚなどのサブキャリア帯域幅をもつ１２個のサブキャリアにわたり得る。各無線フレームは、１０ｍｓの長さをもつ４０個のサブフレームを含み得る。したがって、各サブフレームは、０．２５ｍｓの長さを有し得る。各サブフレームは、データ送信のためのリンク方向（たとえば、ＤＬまたはＵＬ）を示し得、各サブフレームのためのリンク方向は、動的に切り替えられ得る。各サブフレームは、ＤＬ／ＵＬデータならびにＤＬ／ＵＬ制御データを含み得る。いくつかの態様では、追加のおよび／または異なるキャリア帯域幅、サブキャリア帯域幅、無線フレームフォーマット、サブフレームフォーマットなどがサポートされ得る。
【００６４】
[0077]ビームフォーミングがサポートされ得、ビーム方向が動的に構成され得る。プリコーディングを用いたＭＩＭＯ送信も、サポートされ得る。ＤＬにおけるＭＩＭＯ構成は、最高８つのストリームおよびＵＥごとに最高２つのストリームのマルチレイヤＤＬ送信を用いて、最高８つの送信アンテナをサポートし得る。ＵＥごとに最高２つのストリームをもつマルチレイヤ送信が、サポートされ得る。複数のセルのアグリゲーションが、最高８つのサービングセルを用いてサポートされ得る。代替的に、ＮＲは、ＯＦＤＭベースインターフェース以外の異なるエアインターフェースをサポートし得る。ＮＲネットワークは、エンティティ、そのような中央ユニットまたは分散型ユニットを含み得る。
【００６５】
[0078]上記のように、図４は一例として与えられている。他の例が可能であり、図４に関して説明されたものとは異なり得る。
【００６６】
[0079]図５は、本開示の態様による、分散型ＲＡＮ５００の例示的な論理アーキテクチャを示す。５Ｇアクセスノード５０６は、アクセスノードコントローラ（ＡＮＣ）５０２を含み得る。ＡＮＣは、分散型ＲＡＮ５００の中央ユニット（ＣＵ）であり得る。次世代コアネットワーク（ＮＧ−ＣＮ）５０４へのバックホールインターフェースは、ＡＮＣにおいて終端し得る。隣接する次世代アクセスノード（ＮＧ−ＡＮ）へのバックホールインターフェースは、ＡＮＣにおいて終端し得る。ＡＮＣは、（ＢＳ、ＮＲ  ＢＳ、ノードＢ、５Ｇ  ＮＢ、ＡＰ、ｇＮＢ、または何らかの他の用語で呼ばれることもある）１つまたは複数のＴＲＰ５０８を含み得る。上記で説明されたように、ＴＲＰは、「セル」と互換的に使用され得る。
【００６７】
[0080]ＴＲＰ５０８は、分散型ユニット（ＤＵ）であり得る。ＴＲＰは、１つのＡＮＣ（ＡＮＣ５０２）または（示されていない）２つ以上のＡＮＣに接続され得る。たとえば、ＲＡＮ共有、サービスとしての無線（ＲａａＳ：radio as a service）、およびサービス固有ＡＮＤ展開（service specific AND deployments）の場合、ＴＲＰは２つ以上のＡＮＣに接続され得る。ＴＲＰは１つまたは複数のアンテナポートを含み得る。ＴＲＰは、ＵＥにトラフィックを、個々にサービスする（たとえば、動的選択）か、または一緒にサービスする（たとえば、ジョイント送信）ように構成され得る。
【００６８】
[0081]ＲＡＮ５００のローカルアーキテクチャは、フロントホール定義を示すために使用され得る。異なる展開タイプにわたってフロントホーリングソリューション（fronthauling solution）をサポートするアーキテクチャが定義され得る。たとえば、アーキテクチャは、送信ネットワーク能力（たとえば、帯域幅、レイテンシ、および／またはジッタ）に少なくとも部分的に基づき得る。
【００６９】
[0082]アーキテクチャは、ＬＴＥと特徴および／または構成要素を共有し得る。態様によれば、次世代ＡＮ（ＮＧ−ＡＮ）５１０は、ＮＲとのデュアル接続性をサポートし得る。ＮＧ−ＡＮは、ＬＴＥおよびＮＲについて共通フロントホールを共有し得る。
【００７０】
[0083]アーキテクチャは、ＴＲＰ５０８間の協働を可能にし得る。たとえば、協働は、ＡＮＣ５０２を介してＴＲＰ内でおよび／またはＴＲＰにわたってプリセットされ得る。態様によれば、ＴＲＰ間インターフェースは、必要とされない／存在しないことがある。
【００７１】
[0084]態様によれば、分割された論理機能の動的構成が、ＲＡＮ５００のアーキテクチャ内に存在し得る。パケットデータコンバージェンスプロトコル（ＰＤＣＰ）、無線リンク制御（ＲＬＣ）、メディアアクセス制御（ＭＡＣ）プロトコルが、ＡＮＣまたはＴＲＰに適応的に配置され得る。
【００７２】
[0085]いくつかの態様によれば、ＢＳは、中央ユニット（ＣＵ）（たとえば、ＡＮＣ５０２）および／または１つまたは複数の分散型ユニット（たとえば、１つまたは複数のＴＲＰ５０８）を含み得る。
【００７３】
[0086]上記のように、図５は一例として与えられるにすぎない。他の例が可能であり、図５に関して説明されたものとは異なり得る。
【００７４】
[0087]図６は、本開示の態様による、分散型ＲＡＮ６００の例示的な物理アーキテクチャを示す。集中型コアネットワークユニット（Ｃ−ＣＵ）６０２は、コアネットワーク機能をホストし得る。Ｃ−ＣＵは中央に展開され得る。Ｃ−ＣＵ機能性は、ピーク容量を扱おうとして、（たとえば、高度ワイヤレスサービス（ＡＷＳ）に）オフロードされ得る。
【００７５】
[0088]集中型ＲＡＮユニット（Ｃ−ＲＵ）６０４は、１つまたは複数のＡＮＣ機能をホストし得る。オプションで、Ｃ−ＲＵは、ローカルにコアネットワーク機能をホストし得る。Ｃ−ＲＵは分散型展開を有し得る。Ｃ−ＲＵはネットワークエッジにより近いことがある。
【００７６】
[0089]分散型ユニット（ＤＵ）６０６は、１つまたは複数のＴＲＰをホストし得る。ＤＵは、無線周波数（ＲＦ）機能性をもつネットワークのエッジに位置し得る。
【００７７】
[0090]上記のように、図６は一例として与えられるにすぎない。他の例が可能であり、図６に関して説明されたものとは異なり得る。
【００７８】
[0091]図７は、ＤＬ中心サブフレームまたはワイヤレス通信構造の一例を示す図７００である。ＤＬ中心サブフレームは制御部分７０２を含み得る。制御部分７０２は、ＤＬ中心サブフレームの初期部分または開始部分中に存在し得る。制御部分７０２は、ＤＬ中心サブフレームの様々な部分に対応する様々なスケジューリング情報および／または制御情報を含み得る。いくつかの構成では、制御部分７０２は、図７に示されているように、物理ＤＬ制御チャネル（ＰＤＣＣＨ）であり得る。いくつかの態様では、制御部分７０２は、レガシーＰＤＣＣＨ情報、短縮ＰＤＣＣＨ（ｓＰＤＣＣＨ：shortened PDCCH）情報）、（たとえば、物理制御フォーマットインジケータチャネル（ＰＣＦＩＣＨ）上で搬送される）制御フォーマットインジケータ（ＣＦＩ）値、１つまたは複数の許可（たとえば、ダウンリンク許可、アップリンク許可など）などを含み得る。
【００７９】
[0092]ＤＬ中心サブフレームは、ＤＬデータ部分７０４をも含み得る。ＤＬデータ部分７０４は、時々、ＤＬ中心サブフレームのペイロードと呼ばれることがある。ＤＬデータ部分７０４は、スケジューリングエンティティ（たとえば、ＵＥまたはＢＳ）から従属エンティティ（たとえば、ＵＥ）にＤＬデータを通信するために利用される通信リソースを含み得る。いくつかの構成では、ＤＬデータ部分７０４は、物理ＤＬ共有チャネル（ＰＤＳＣＨ）であり得る。
【００８０】
[0093]ＤＬ中心サブフレームは、ＵＬショートバースト部分７０６をも含み得る。ＵＬショートバースト部分７０６は、時々、ＵＬバースト、ＵＬバースト部分、共通ＵＬバースト、ショートバースト、ＵＬショートバースト、共通ＵＬショートバースト、共通ＵＬショートバースト部分、および／または様々な他の好適な用語で呼ばれることがある。いくつかの態様では、ＵＬショートバースト部分７０６は、１つまたは複数の基準信号を含み得る。追加または代替として、ＵＬショートバースト部分７０６は、ＤＬ中心サブフレームの様々な他の部分に対応するフィードバック情報を含み得る。たとえば、ＵＬショートバースト部分７０６は、制御部分７０２および／またはデータ部分７０４に対応するフィードバック情報を含み得る。ＵＬショートバースト部分７０６中に含まれ得る情報の非限定的な例は、ＡＣＫ信号（たとえば、ＰＵＣＣＨ  ＡＣＫ、ＰＵＳＣＨ  ＡＣＫ、即時ＡＣＫ）、ＮＡＣＫ信号（たとえば、ＰＵＣＣＨ  ＮＡＣＫ、ＰＵＳＣＨ  ＮＡＣＫ、即時ＮＡＣＫ）、スケジューリング要求（ＳＲ）、バッファステータス報告（ＢＳＲ）、ＨＡＲＱインジケータ、チャネル状態指示（ＣＳＩ）、チャネル品質インジケータ（ＣＱＩ）、サウンディング基準信号（ＳＲＳ）、復調基準信号（ＤＭＲＳ）、ＰＵＳＣＨデータ、および／または様々な他の好適なタイプの情報を含む。ＵＬショートバースト部分７０６は、ランダムアクセスチャネル（ＲＡＣＨ）プロシージャに関係する情報、スケジューリング要求、および様々な他の好適なタイプの情報など、追加または代替の情報を含み得る。
【００８１】
[0094]図７に示されているように、ＤＬデータ部分７０４の終端は、ＵＬショートバースト部分７０６の始端から時間的に分離され得る。この時間分離は、時々、ギャップ、ガード期間、ガードインターバル、および／または様々な他の好適な用語で呼ばれることがある。この分離は、ＤＬ通信（たとえば、従属エンティティ（たとえば、ＵＥ）による受信動作）からＵＬ通信（たとえば、従属エンティティ（たとえば、ＵＥ）による送信）への切替えのための時間を与える。上記はＤＬ中心ワイヤレス通信構造の一例にすぎず、同様の特徴を有する代替構造が、本明細書で説明される態様から必ずしも逸脱することなしに存在し得る。
【００８２】
[0095]上記のように、図７は一例として与えられるにすぎない。他の例が可能であり、図７に関して説明されたものとは異なり得る。
【００８３】
[0096]図８は、ＵＬ中心サブフレームまたはワイヤレス通信構造の一例を示す図８００である。ＵＬ中心サブフレームは制御部分８０２を含み得る。制御部分８０２は、ＵＬ中心サブフレームの初期部分または開始部分中に存在し得る。図８中の制御部分８０２は、図７を参照しながら上記で説明された制御部分７０２と同様であり得る。ＵＬ中心サブフレームは、ＵＬロングバースト部分８０４をも含み得る。ＵＬロングバースト部分８０４は、時々、ＵＬ中心サブフレームのペイロードと呼ばれることがある。ＵＬ部分は、従属エンティティ（たとえば、ＵＥ）からスケジューリングエンティティ（たとえば、ＵＥまたはＢＳ）にＵＬデータを通信するために利用される通信リソースを指し得る。いくつかの構成では、制御部分８０２は、物理ＤＬ制御チャネル（ＰＤＣＣＨ）であり得る。
【００８４】
[0097]図８に示されているように、制御部分８０２の終端は、ＵＬロングバースト部分８０４の始端から時間的に分離され得る。この時間分離は、時々、ギャップ、ガード期間、ガードインターバル、および／または様々な他の好適な用語で呼ばれることがある。この分離は、ＤＬ通信（たとえば、スケジューリングエンティティによる受信動作）からＵＬ通信（たとえば、スケジューリングエンティティによる送信）への切替えのための時間を与える。
【００８５】
[0098]ＵＬ中心サブフレームは、ＵＬショートバースト部分８０６をも含み得る。図８中のＵＬショートバースト部分８０６は、図７を参照しながら上記で説明されたＵＬショートバースト部分７０６と同様であり得、図７に関して上記で説明された情報のうちのいずれかを含み得る。上記はＵＬ中心ワイヤレス通信構造の一例にすぎず、同様の特徴を有する代替構造が、本明細書で説明される態様から必ずしも逸脱することなしに存在し得る。
【００８６】
[0099]いくつかの状況では、２つまたはそれ以上の従属エンティティ（たとえば、ＵＥ）が、サイドリンク信号を使用して互いと通信し得る。そのようなサイドリンク通信の現実世界の適用例は、公共安全、近接サービス、ＵＥネットワーク間中継、車両間（Ｖ２Ｖ）通信、あらゆるモノのインターネット（ＩｏＥ）通信、ＩｏＴ通信、ミッションクリティカルメッシュ、および／または様々な他の好適な適用例を含み得る。概して、サイドリンク信号は、スケジューリングエンティティ（たとえば、ＵＥまたはＢＳ）が、スケジューリングおよび／または制御目的のために利用され得るが、スケジューリングエンティティを通してその通信を中継することなしに、ある従属エンティティ（たとえば、ＵＥ１）から別の従属エンティティ（たとえば、ＵＥ２）に通信される信号を指し得る。いくつかの例では、サイドリンク信号は、（一般的に、無認可スペクトルを使用するワイヤレスローカルエリアネットワークとは異なり）認可スペクトルを使用して通信され得る。
【００８７】
[00100]一例では、フレームなどのワイヤレス通信構造は、ＵＬ中心サブフレームとＤＬ中心サブフレームの両方を含み得る。この例では、フレーム中のＤＬ中心サブフレームに対するＵＬ中心サブフレームの比率は、送信されるＵＬデータの量およびＤＬデータの量に少なくとも部分的に基づいて動的に調整され得る。たとえば、より多くのＵＬデータがある場合、ＤＬ中心サブフレームに対するＵＬ中心サブフレームの比率は増加され得る。逆に、より多くのＤＬデータがある場合、ＤＬ中心サブフレームに対するＵＬ中心サブフレームの比率は減少され得る。
【００８８】
[00101]上記のように、図８は一例として与えられるにすぎない。他の例が可能であり、図８に関して説明されたものとは異なり得る。
【００８９】
[00102]上記で説明されたように、基地局は、（たとえば、ＵＥが基地局を介してワイヤレスネットワークにアクセスすることができるように）ＵＥによる受信のための同期通信（たとえば、ＰＢＣＨ、ＰＳＳ、ＳＳＳなどを含むＳＳブロック）を送信し得る。いくつかの場合には、所与のバーストセット中の同期通信の数は、同期通信に関連付けられたキャリア周波数に依存し得る。
【００９０】
[00103]たとえば、キャリア周波数に関連付けられた経路損失が比較的低い場合（たとえば、キャリア周波数が約６ギガヘルツ（ＧＨｚ）以下であるとき）、ＳＳバーストセットは、４つの同期通信、８つの同期通信などを含み得る。ここで、同期通信は、たとえば、経路損失がそのようなキャリア周波数において比較的低くなり得るので、基地局から比較的異なる方向にあるＵＥによって受信され得る。したがって、そのような場合、基地局は、（たとえば、基地局から比較的異なる方向にあるＵＥが、依然として同期通信を受信し得るので）ワイヤレスネットワークへのアクセスに影響を及ぼすことなしに比較的少数の同期通信を送信することができる。
【００９１】
[00104]別の例として、キャリア周波数に関連付けられた経路損失が比較的高い場合（たとえば、キャリア周波数が約６ＧＨｚを上回るとき）、ＳＳバーストセットは、比較的より多数の同期通信を含み得る。特定の例として、キャリア周波数がミリメートル波（ｍｍＷ）キャリア周波数であるとき、基地局は最高６４個の同期通信を送信し得る。ここで、比較的多数の同期通信の送信は、ｍｍＷ周波数における通信のために経路損失を最小限に抑えることおよび／またはネットワーク効率を改善することに関連付けられた技法の実装を可能にする。そのような技法は、（たとえば、特定の方向にビームを送信する）ビームフォーミング、（たとえば、異なる時間に異なる方向に別様に形成されたビームを送信した）ビーム掃引（beam sweeping）などを含み得る。
【００９２】
[00105]いくつかの場合には、基地局は、基地局によって送信されるべき同期通信の数を決定する。たとえば、基地局は、基地局が所与のキャリア周波数のための同期通信を送信することを可能にされる潜在的リソースのセット（たとえば、所与のフレームの特定のサブフレーム、所与のサブフレームの特定のスロット、所与のスロットの特定のリソースブロック、所与のリソースブロックの特定のリソース要素など）を識別する情報を記憶し得る。ここで、基地局は、基地局によって送信されるべき同期通信の数を決定し得、同期通信の送信のために使用するための、潜在的リソースのセットのうちのリソースのセット（たとえば、６４個の潜在的リソースのうちの４個、６４個の潜在的リソースのうちの１６個、６４個の潜在的リソースのうちの４０個、潜在的リソースのすべての６４個など）を選択および／または識別し得る。したがって、１つのバーストセット中で基地局によって送信される同期通信の数は、基地局によって決定される、別のバーストセット中で基地局によって送信される同期通信の数とは異なり得る。
【００９３】
[00106]いくつかの場合には、基地局は、同期通信を搬送するために基地局によって選択された、潜在的リソースのセットのうちのリソースのセットをＵＥが識別することを可能にする情報を送信し得る。たとえば、基地局は、（「マスク」と呼ばれることがある）潜在的リソースのセット内のリソースのセットのパターンを識別する情報など、ＵＥがリソースのセットを識別することを可能にする情報を含む、システム情報（たとえば、ＲＭＳＩ、ＳＩＢ１、ＭＳＩなど）を送信し得る。特定の例として、ＲＭＳＩは、潜在的リソースのセットのうちのリソースの第１のセット（たとえば、偶数番号のリソース、リソースのうちの前半など）が同期通信を搬送するかどうか、潜在的リソースのセットのうちのリソースの第２のセット（たとえば、奇数番号のリソース、リソースのうちの後半など）が同期通信を搬送するかどうかなどを示し得る。言い換えれば、ＲＭＳＩは、（たとえば、各個々のリソースが同期通信を搬送しているかどうかを示す完全な情報と比較して、）ＵＥがリソースのセットを識別することを可能にする情報を含み得る。
【００９４】
[00107]リソースのセットは、同期通信の複数の送信に関連付けられ得る（たとえば、それにより、ＵＥが、早期の通信中で受信されたＲＭＳＩに少なくとも部分的に基づいて、所与のダウンリンク通信に関連付けられたリソースのセットを識別し得る）。いくつかの場合には、ＲＭＳＩは、基地局によって送信されるＰＤＳＣＨ通信中に含まれる。さらに、いくつかの場合には、基地局は、（たとえば、ＵＥが基地局を介してネットワークにアクセスした後に）ＵＥ固有ＲＲＣ信号を介して、リソースのセットに関連付けられた完全な情報を与え得る。
【００９５】
[00108]しかしながら、基地局が比較的多数の同期通信を送信することを可能にされる場合、同期通信のうちのいくつかは、それでなければ(otherwise)別の通信のために使用され得るリソース中で送信され得る。たとえば、基地局が最高６４個の同期通信を送信し得るｍｍＷキャリア周波数の場合、同期通信のうちの１つまたは複数は、それでなければ(otherwise)ＰＤＣＣＨ通信、ＰＤＳＣＨ通信などのために使用されるであろうリソース中で送信され得る。言い換えれば、１つまたは複数の同期通信は、ＰＤＣＣＨ通信および／またはＰＤＳＣＨ通信と衝突し得る。
【００９６】
[00109]この例では、ＵＥがリソースのセットを識別することを可能にするシステム情報（たとえば、ＲＭＳＩ）は、ＰＤＳＣＨ通信中に含まれるが、ＵＥは、（たとえば、同期通信とＰＤＳＣＨリソースとの衝突は、ＵＥがシステム情報を正しく決定するのを妨げ得るので）リソースのセットについての知識なしにはシステム情報を直ちに決定しないことがある。
【００９７】
[00110]本明細書で説明されるいくつかの態様は、同期通信を搬送し得る潜在的リソースのセットに関連付けられたレートマッチングルールに少なくとも部分的に基づいて、通信に関連付けられたデレートマッチングまたはレートマッチングを実施するための技法および装置を提供する。いくつかの態様では、レートマッチングルールに少なくとも部分的に基づいてデレートマッチングを実施することは、以下で説明されるように、同期通信を搬送する、潜在的リソースのセットのうちのリソースのセットを識別する、ダウンリンク通信中に含まれるシステム情報をＵＥが決定することを可能にする。
【００９８】
[00111]追加または代替として、レートマッチングルールに少なくとも部分的に基づいてデレートマッチングを実施することは、以下で説明されるように、リソースのセット中で基地局によって送信される同期通信と衝突することなしに、ＵＥがアップリンク通信を送信することを可能にする。
【００９９】
[00112]図９は、本開示の様々な態様による、同期通信を搬送し得る潜在的リソースのセットに関連付けられたレートマッチングルールに少なくとも部分的に基づいて、ダウンリンク通信に関連付けられたデレートマッチングを実施する一例９００を示す図である。
【０１００】
[00113]例９００では、基地局は、潜在的リソースのセット中でいくつかの同期通信（たとえば、最高６４個のＳＳブロック）を（たとえば、ｍｍＷ周波数を使用して）送信することを可能にされ、それにより、１つまたは複数の同期通信が、それでなければ（otherwise）ダウンリンク通信（たとえば、ＰＤＣＣＨ通信および／またはＰＤＳＣＨ通信）のために使用され得るリソース中で送信され得る。さらに、基地局は、ダウンリンク通信中でＲＭＳＩを送信し、ここで、ＲＭＳＩは、同期通信を搬送する、潜在的リソースのセットのうちのリソースのセットを識別することに関連付けられた情報を含む。
【０１０１】
[00114]いくつかの態様では、基地局は、ダウンリンク通信中で搬送されるシステム情報中に、リソースのセットを識別することに関連付けられた情報を含め得、当該リソースのセット中で少なくとも１つの同期通信を送信し得、当該リソースのセット以外のリソース中でダウンリンク通信をスケジュールし得、（たとえば、当該リソースのセットを識別する情報に従って）当該リソースのセットの周りでダウンリンク通信をレートマッチングし得る。その場合、基地局は、少なくとも１つの同期通信を搬送する当該リソースのセット中で、システム情報を含むダウンリンク通信を送信しないように構成され得る（ただし、同期通信を搬送するための潜在的リソースのセットのうちの他のリソース中ではそうすることができる）。
【０１０２】
[00115]図９に、および参照番号９０５によって、示されているように、基地局は、ＵＥによる受信のためのダウンリンク通信を送信し得る。いくつかの態様では、ダウンリンク通信は、上記のように、ＰＤＣＣＨおよび／またはＰＤＳＣＨに関連付けられた通信を含み得る。示されているように、ダウンリンク通信は、システム情報（たとえば、ＲＭＳＩ、ＳＩＢ１、ＭＩＢなど）を含み得る。いくつかの態様では、基地局は、上記で説明されたように、基地局が少なくとも１つの同期通信（たとえば、１つまたは複数のＳＳＢ）を送信する、潜在的リソースのセットのうちのリソースのセット以外の、リソース中で通信を送信し得る。
【０１０３】
[00116]いくつかの態様では、ダウンリンク通信は、ミニスロット（たとえば、４つのシンボル、２つのシンボルなどの長さをもつスロットなど、標準ＮＲスロットよりも短いスロット）中で送信され得る。図９に示されているように、ＵＥは、ダウンリンク通信を受信し得る。
【０１０４】
[00117]参照番号９１０によって示されているように、ダウンリンク通信を受信することに少なくとも部分的に基づいて、ＵＥは、同期通信を搬送し得る潜在的リソースのセットに関連付けられたレートマッチングルールに少なくとも部分的に基づいてデレートマッチングを実施し得る。
【０１０５】
[00118]いくつかの態様では、レートマッチングルールは、潜在的リソースのセットのすべてのリソースが、同期通信を搬送することを示し得る。言い換えれば、レートマッチングルールは、ダウンリンク通信と衝突する同期通信を基地局が送信したと、ＵＥが仮定するべきであることを示し得る。そのような場合、ＵＥは、潜在的リソースのセット中に含まれるすべてのリソースの周りのデレートマッチングによって、デレートマッチングを実施し得る。ここで、デレートマッチングは、潜在的リソースのセットの周りで実施されるので、潜在的リソースのセット中で搬送されるシンボルは、システム情報を復号するときに解釈されない。
【０１０６】
[00119]いくつかの態様では、そのようなレートマッチングルールは、たとえば、同期通信がダウンリンク通信と多重化され得るので、ネットワークリソース利用（network resource utilization）を増加させ得る。さらに、そのようなレートマッチングルールは、たとえば、ダウンリンク通信が同期通信と衝突しないように基地局がダウンリンク通信をスケジュールする必要がないので、ダウンリンク通信を送信することに関連付けられた遅延を低減し得る。
【０１０７】
[00120]いくつかの態様では、レートマッチングルールは、潜在的リソースのセットのどのリソースも同期通信を搬送しないことを示し得る。言い換えれば、レートマッチングルールは、同期通信がダウンリンク通信と衝突しないように基地局がダウンリンク通信をスケジュールしたと、ＵＥが仮定するべきであることを示し得る。そのような場合、ＵＥは、潜在的リソースのセット中に含まれるどのリソースの周りのデレートマッチングもなしにデレートマッチングを実施し得る（たとえば、ＵＥは、標準様式（standard manner）でデレートマッチングを実施し得る）。ここで、デレートマッチングは、潜在的リソースのセットの周りで実施されないので、潜在的リソースのセット中で搬送されるシンボルは、システム情報を復号するときに解釈される。
【０１０８】
[00121]いくつかの態様では、そのようなレートマッチングルールは、（たとえば、同期通信がダウンリンク通信と衝突しないとＵＥが仮定するので）たとえば、場合によっては(otherwise)システム情報を送信するために使用され得るリソースが、未使用のままにされる必要がないので、ネットワークリソースの浪費を低減し得る。さらに、そのようなレートマッチングルールは、たとえば、（たとえば、１つまたは複数のリソースの周りのデレートマッチングと比較して）デレートマッチングが簡略化され得るので、ＵＥリソース（たとえば、メモリリソース、プロセッサリソース、バッテリー電力など）を節約し得る。
【０１０９】
[00122]いくつかの態様では、レートマッチングルールは、リソースのセットが、ダウンリンク制御情報（ＤＣＩ）などの制御情報中で識別されることを示し得る。言い換えれば、レートマッチングルールは、ダウンリンク通信に関連付けられた制御情報に少なくとも部分的に基づいて、リソースのセットを識別する情報をＵＥが決定するべきであることを示し得る。ここで、制御情報は、特定のリソースのセットを明示的に識別する。そのような場合、ＵＥは、制御情報に従ってデレートマッチングを実施し得る。たとえば、ＵＥは、制御情報に少なくとも部分的に基づいて、同期通信を搬送するリソースのセットを識別する情報を決定し得る。そのような場合、ＵＥは、制御情報によって識別されたそれらのリソースについてデレートマッチングを実施し得る（たとえば、ＵＥは、潜在的リソースのセットのうちのいずれの周りでもデレートマッチングしないことがある、潜在的リソースのセットのうちの１つまたは複数の周りでデレートマッチングすることがある、潜在的リソースのセットのすべての周りでデレートマッチングすることがある、などである）。ここで、デレートマッチングは、同期通信を搬送するリソースの周りで実施されるので、同期通信を搬送するシンボルは、システム情報を復号するときに解釈されない。いくつかの態様では、制御情報中に含まれる情報は、ダウンリンク通信に特定であり得る（たとえば、ＲＭＳＩは、ダウンリンク通信に関連付けられたものとは異なる、特定のリソースのセットを識別し得る）。
【０１１０】
[00123]いくつかの態様では、そのようなレートマッチングルールは、デレートマッチングに関連付けられた増加されたフレキシビリティを与え、それにより、上記で説明された利点のうちの１つまたは複数が達成されることを可能にし得る（たとえば、増加されたネットワークリソース利用、ダウンリンク通信を送信することに関連付けられた低減された遅延、ネットワークリソースの低減された浪費、ＵＥリソースの節約など）。
【０１１１】
[00124]図９に、および参照番号９１５によって、さらに示されているように、ＵＥは、システム情報を受信することを含む、さらなるダウンリンク通信処理を実施し得る。いくつかの態様では、システム情報を決定することに少なくとも部分的に基づいて、ＵＥは、リソースのセットを識別する情報を決定し得る（たとえば、それにより、ＵＥは、特定のリソースのセットを識別する情報に少なくとも部分的に基づいて、さらなるダウンリンク通信を処理し得る）。
【０１１２】
[00125]いくつかの態様では、ＵＥは、第２のダウンリンク通信（たとえば、ページング通信、ランダムアクセス応答（ＲＡＲ）メッセージなど）に関連付けられた制御情報（たとえば、ＤＣＩ）を（たとえば、後で）受信し得、それは、第１のダウンリンク通信に関連付けられたシステム情報をオーバーライド（override）する。たとえば、第２のダウンリンク通信中に含まれる制御情報は、同期通信を搬送するリソースの第２のセット（たとえば、第１のダウンリンク通信に関連付けられた特定のリソースの第１のセットとは異なる、潜在的リソースのセットのうちの特定のリソースのセット）を識別する情報を含み得る。ここで、ＵＥは、（たとえば、特定のリソースの第１のセットではなく）リソースの第２のセットを識別する情報に従って実施されるデレートマッチングに少なくとも部分的に基づいて、第２の通信中に含まれる情報を決定し得る。いくつかの態様では、オーバーライドは、（たとえば、第２のダウンリンク通信のみが、リソースの第２のセットに少なくとも部分的に基づいて処理されるような）一時的なオーバーライドであり得るか、または（たとえば、将来のダウンリンク通信が、リソースの第２のセットに少なくとも部分的に基づいて処理されるような）永続的なオーバーライドであり得る。
【０１１３】
[00126]上記のように、図９は一例として与えられている。他の例が可能であり、図９に関して説明されたものとは異なり得る。
【０１１４】
[00127]図１０は、本開示の様々な態様による、同期通信を搬送し得る潜在的リソースのセットに関連付けられたレートマッチングルールに少なくとも部分的に基づいて、アップリンク通信に関連付けられたレートマッチングを実施する一例１０００を示す図である。
【０１１５】
[00128]例１０００では、基地局は、潜在的リソースのセット中でいくつかの同期通信（たとえば、最高６４個のＳＳブロック）を（たとえば、ｍｍＷ周波数を使用して）送信することを可能にされ、それにより、１つまたは複数の同期通信が、場合によってはＵＥによるアップリンク通信（たとえば、ＰＵＳＣＨ通信）のために使用され得るリソース中で送信され得る。さらに、ＵＥは、潜在的リソースのセットを識別する情報で構成され、アップリンク通信を送信することになる。
【０１１６】
[00129]参照番号１００５によって示されているように、ＵＥは、同期通信を搬送し得る潜在的リソースのセットに関連付けられたレートマッチングルールに少なくとも部分的に基づいてレートマッチングを実施し得る。
【０１１７】
[00130]いくつかの態様では、レートマッチングルールは、潜在的リソースのセットのどのリソースも同期通信を搬送しないことを示し得る。言い換えれば、レートマッチングルールは、同期通信がアップリンク通信と衝突しないように（たとえば、自動的に、基地局によって、許可なしで（grant-free）など）アップリンク通信がスケジュールされると、ＵＥが仮定するべきであることを示し得る。そのような場合、ＵＥは、潜在的リソースのセット中に含まれるどのリソースの周りのレートマッチングもなしにレートマッチングを実施し得る（たとえば、ＵＥは、標準様式でレートマッチングを実施し得る）。ここで、レートマッチングは、潜在的リソースのセットの周りで実施されないので、潜在的リソースのセット中で搬送されるシンボルは、アップリンク通信を送信するために使用される。いくつかの態様では、そのようなレートマッチングルールは、上記で説明されたように、ネットワークリソースの浪費を低減し得、および／またはＵＥリソースを節約し(conserve)得る。
【０１１８】
[00131]いくつかの態様では、レートマッチングルールは、潜在的リソースのセットのすべてのリソースが、同期通信を搬送することを示し得る。言い換えれば、レートマッチングルールは、アップリンク通信と衝突する同期通信を基地局が送信したと、ＵＥが仮定するべきであることを示し得る。そのような場合、ＵＥは、潜在的リソースのセット中に含まれるすべてのリソースの周りのレートマッチングによって、レートマッチングを実施し得る。ここで、レートマッチングは、潜在的リソースのセットの周りで実施されるので、潜在的リソースのセット中で搬送されるシンボルは、アップリンク通信を送信するために使用される。いくつかの態様では、そのようなレートマッチングルールは、上記で説明されたように、ネットワークリソース利用を増加させ、および／またはアップリンク通信を送信することに関連付けられた遅延を低減し得る。
【０１１９】
[00132]いくつかの態様では、ＵＥが、潜在的リソースのセットの周りでレートマッチングするとき、ＵＥは、潜在的リソースのセットの周りのシンボルのセットの周りでもレートマッチングし得る。たとえば、ＵＥは、潜在的リソースのセットに関連付けられたシンボルに隣接する１つまたは複数のシンボルの周りでレートマッチングし得る。このようにして、ＵＥは、アップリンク通信とダウンリンク通信との間で切り替えるための保護を与え得る。
【０１２０】
[00133]参照番号１０１０および１０１５によって示されているように、ＵＥは、アップリンク通信を送信することに関連付けられた、さらなるアップリンク通信処理を実施し得、基地局にアップリンク通信を送信し得る。ＵＥが潜在的リソースのセットの周りでレートマッチングしない態様では、ＵＥは、潜在的リソースのセットのうちの１つまたは複数中でアップリンク通信を送信し得る。逆に、ＵＥが潜在的リソースのセットの周りでレートマッチングする態様では、ＵＥは、潜在的リソースのセットのうちのどれの中でもアップリンク通信を送信しないことがある。
【０１２１】
[00134]上記のように、図１０は一例として与えられている。他の例が可能であり、図１０に関して説明されたものとは異なり得る。
【０１２２】
[00135]図１１は、本開示の様々な態様による、たとえば、ＵＥによって実施される例示的なプロセス１１００を示す図である。ＵＥは、たとえば、ＵＥ１２０に対応し得る。
【０１２３】
[00136]図１１に示されているように、いくつかの態様では、プロセス１１００は、システム情報を含む通信を受信すること、ここにおいて、システム情報が、同期通信を搬送するリソースのセットを識別することに関連付けられた情報を含み、リソースのセットは、同期通信がそれの上で搬送され得る潜在的リソースのセット中に含まれる、を含み得る（ブロック１１１０）。たとえば、ＵＥは、上記で説明されたように、システム情報を含む通信を受信し得、ここにおいて、システム情報は、同期通信を搬送するリソースのセットを識別することに関連付けられた情報を含み、ここにおいて、リソースのセットは、同期通信がそれの上で搬送され得る潜在的リソースのセット中に含まれる。
【０１２４】
[00137]図１１にさらに示されているように、いくつかの態様では、プロセス１１００は、レートマッチングルールに少なくとも部分的に基づいて、システム情報を受信することに関連付けられたデレートマッチングを実施すること、ここにおいて、レートマッチングルールが、潜在的リソースのセットに関してデレートマッチングを実施することに関連付けられたルールである、を含み得る（ブロック１１２０）。たとえば、ＵＥは、上記で説明されたように、レートマッチングルールに少なくとも部分的に基づいて、システム情報を受信することに関連付けられたデレートマッチングを実施し得、ここにおいて、レートマッチングルールは、潜在的リソースのセットに関してデレートマッチングを実施することに関連付けられたルールである。
【０１２５】
[00138]いくつかの態様では、レートマッチングルールは、潜在的リソースのセットのすべてのリソースが同期通信を搬送することを示し、デレートマッチングは、潜在的リソースのセットのすべてのリソースの周りのデレートマッチングに少なくとも部分的に基づいて実施される。
【０１２６】
[00139]いくつかの態様では、レートマッチングルールは、潜在的リソースのセットのどのリソースも同期通信を搬送しないことを示し、デレートマッチングは、潜在的リソースのセットのうちのどのリソースの周りのデレートマッチングもなしに実施される。
【０１２７】
[00140]いくつかの態様では、レートマッチングルールは、リソースのセットが制御情報中で識別されることを示し、デレートマッチングは、制御情報に従うデレートマッチングに少なくとも部分的に基づいて実施される。
【０１２８】
[00141]いくつかの態様では、制御情報はダウンリンク制御情報（ＤＣＩ）である。
【０１２９】
[00142]いくつかの態様では、システム情報は、残存最小システム情報（ＲＭＳＩ）、システム情報ブロック１（ＳＩＢ１）、または最小システム情報（ＭＳＩ）である。
【０１３０】
[00143]いくつかの態様では、同期通信は、少なくとも１つの同期信号（ＳＳ）ブロックを含む。
【０１３１】
[00144]いくつかの態様では、通信は、物理ダウンリンク制御チャネル（ＰＤＣＣＨ）に関連付けられる。
【０１３２】
[00145]いくつかの態様では、通信は、物理ダウンリンク共有チャネル（ＰＤＳＣＨ）に関連付けられる。
【０１３３】
[00146]いくつかの態様では、潜在的リソースのセットは、６４個の同期通信を搬送することに関連付けられたリソースを含む。
【０１３４】
[00147]いくつかの態様では、通信は、ミリメートル波（ｍｍＷ）周波数に関連付けられる。
【０１３５】
[00148]いくつかの態様では、システム情報は、デレートマッチングを実施することに少なくとも部分的に基づいて受信される。
【０１３６】
[00149]いくつかの態様では、通信は第１の通信であり、リソースのセットはリソースの第１のセットであり、ＵＥは、制御情報を含む第２の通信を受信することと、ここにおいて、制御情報が、同期通信を搬送するリソースの第２のセットを識別する情報を含み、リソースの第２のセットを識別する情報が、リソースの第１のセットを識別する情報をオーバーライドし、リソースの第１のセットを識別する情報が、システム情報に少なくとも部分的に基づいて決定される；リソースの第２のセットを識別する情報に少なくとも部分的に基づいて、第２の通信中に含まれる情報を決定することと、を行い得る。
【０１３７】
[00150]いくつかの態様では、第２の通信はページング通信である。
【０１３８】
[00151]いくつかの態様では、第２の通信はランダムアクセス応答である。
【０１３９】
[00152]いくつかの態様では、通信はミニスロット中で通信される。
【０１４０】
[00153]図１１はプロセス１１００の例示的なブロックを示すが、いくつかの態様では、プロセス１１００は、図１１に示されたものと比べて、追加のブロック、より少数のブロック、異なるブロック、または別様に構成されたブロックを含み得る。追加または代替として、プロセス１１００のブロックのうちの２つまたはそれ以上が並列に実施され得る。
【０１４１】
[00154]図１２は、本開示の様々な態様による、たとえば、ＵＥによって実施される例示的なプロセス１２００を示す図である。ＵＥは、たとえば、ＵＥ１２０に対応し得る。
【０１４２】
[00155]図１２に示されているように、いくつかの態様では、プロセス１２００は、通信に関連するレートマッチングを実施すること、ここにおいて、レートマッチングは、同期通信がそれの上で搬送され得る潜在的リソースのセットに関連付けられたレートマッチングルールに少なくとも部分的に基づいて実施される、を含み得る（ブロック１２１０）。たとえば、ＵＥは、上記で説明されたように、通信に関連するレートマッチングを実施し得、ここにおいて、レートマッチングは、同期通信がそれの上で搬送され得る潜在的リソースのセットに関連付けられたレートマッチングルールに少なくとも部分的に基づいて実施される。
【０１４３】
[00156]図１２にさらに示されているように、いくつかの態様では、プロセス１２００は、レートマッチングを実施することに少なくとも部分的に基づいて通信を送信することを含み得る（ブロック１２２０）。たとえば、ＵＥは、上記で説明されたように、レートマッチングを実施することに少なくとも部分的に基づいて通信を送信し得る。
【０１４４】
[00157]いくつかの態様では、レートマッチングルールは、潜在的リソースのセットのどのリソースも同期通信を搬送しないことを示し、レートマッチングは、潜在的リソースのセットのうちのどのリソースの周りのレートマッチングもなしに実施される。
【０１４５】
[00158]いくつかの態様では、レートマッチングルールは、潜在的リソースのセットのすべてのリソースが同期通信を搬送することを示し、レートマッチングは、潜在的リソースのセットのすべてのリソースの周りのレートマッチングに少なくとも部分的に基づいて実施される。
【０１４６】
[00159]いくつかの態様では、レートマッチングは、さらに、潜在的リソースのセットの周りのシンボルのセットの周りのレートマッチングに少なくとも部分的に基づいて実施される。
【０１４７】
[00160]いくつかの態様では、同期通信は、少なくとも１つの同期信号（ＳＳ）ブロックを含む。
【０１４８】
[00161]いくつかの態様では、潜在的リソースのセットは、６４個の同期通信を搬送することに関連付けられたリソースを含む。
【０１４９】
[00162]いくつかの態様では、通信は、ミリメートル波（ｍｍＷ）周波数に関連付けられる。
【０１５０】
[00163]図１２はプロセス１２００の例示的なブロックを示すが、いくつかの態様では、プロセス１２００は、図１２に示されたものと比べて、追加のブロック、より少数のブロック、異なるブロック、または別様に構成されたブロックを含み得る。追加または代替として、プロセス１２００のブロックのうちの２つまたはそれ以上が並列に実施され得る。
【０１５１】
[00164]図１３は、本開示の様々な態様による、たとえば、基地局によって実施される例示的なプロセス１３００を示す図である。基地局は、たとえば、基地局１１０に対応し得る。
【０１５２】
[00165]図１３に示されているように、いくつかの態様では、プロセス１３００は、少なくとも１つの同期通信を送信すること、ここにおいて、少なくとも１つの同期通信が、リソースのセット中で送信され、リソースのセットは、同期通信がそれの上で搬送され得る潜在的リソースのセット中に含まれる、を含み得る（ブロック１３１０）。たとえば、基地局は、上記で説明されたように、少なくとも１つの同期通信を送信し得、ここにおいて、少なくとも１つの同期通信は、リソースのセット中で送信され、ここにおいて、リソースのセットは、同期通信がそれの上で搬送され得る潜在的リソースのセット中に含まれる。
【０１５３】
[00166]図１３にさらに示されているように、いくつかの態様では、プロセス１３００は、システム情報を含む通信を送信すること、ここにおいて、システム情報が、リソースのセットを識別することに関連付けられた情報を含み、通信が、リソースのセット以外のリソース中で送信される、を含み得る（ブロック１３２０）。たとえば、基地局は、上記で説明されたように、システム情報を含む通信を送信し得、ここにおいて、システム情報は、リソースのセットを識別することに関連付けられた情報を含み、通信は、リソースのセット以外のリソース中で送信される。
【０１５４】
[00167]いくつかの態様では、システム情報は、残存最小システム情報（ＲＭＳＩ）、システム情報ブロック１（ＳＩＢ１）、または最小システム情報（ＭＳＩ）である。
【０１５５】
[00168]いくつかの態様では、同期通信は、少なくとも１つの同期信号（ＳＳ）ブロックを含む。
【０１５６】
[00169]いくつかの態様では、通信は、物理ダウンリンク共有チャネル（ＰＤＳＣＨ）に関連付けられる。
【０１５７】
[00170]図１３はプロセス１３００の例示的なブロックを示すが、いくつかの態様では、プロセス１３００は、図１３に示されたものと比べて、追加のブロック、より少数のブロック、異なるブロック、または別様に構成されたブロックを含み得る。追加または代替として、プロセス１３００のブロックのうちの２つまたはそれ以上が並列に実施され得る。
【０１５８】
[00171]上記の開示は、例示および説明を与えるが、網羅的なものでもなく、開示された厳密な形態に態様を限定するものでもない。修正および変形が、上記の開示に照らして可能であるか、または態様の実施から得られ得る。
【０１５９】
[00172]本明細書で使用される構成要素という用語は、ハードウェア、ファームウェア、またはハードウェアとソフトウェアの組合せとして広く解釈されるものとする。本明細書で使用されるプロセッサは、ハードウェア、ファームウェア、またはハードウェアとソフトウェアの組合せで実装される。
【０１６０】
[00173]本明細書では、しきい値に関していくつかの態様が説明される。本明細書で使用されるしきい値を満たすことは、値が、しきい値よりも大きいこと、しきい値よりも大きいかまたはそれに等しいこと、しきい値よりも小さいこと、しきい値よりも小さいかまたはそれに等しいこと、しきい値に等しいこと、しきい値に等しくないことなどを指し得る。
【０１６１】
[00174]本明細書で説明されるシステムおよび／または方法は、ハードウェア、ファームウェア、またはハードウェアとソフトウェアの組合せの異なる形態で実装され得ることが明らかであろう。これらのシステムおよび／または方法を実装するために使用される実際の特殊な制御ハードウェアまたはソフトウェアコードは、態様を限定するものではない。したがって、システムおよび／または方法の動作および挙動は、特定のソフトウェアコードと無関係に本明細書で説明され、ソフトウェアおよびハードウェアは、本明細書の説明に少なくとも部分的に基づいて、システムおよび／または方法を実装するように設計され得ることが理解される。
【０１６２】
[00175]特徴の特定の組合せが特許請求の範囲において具陳されおよび／または本明細書で開示されたが、これらの組合せは、可能な態様の開示を限定するものではない。実際は、これらの特徴の多くは、詳細には、特許請求の範囲において具陳されずおよび／または本明細書で開示されない方法で、組み合わせられ得る。以下に記載される各従属請求項は、１つの請求項のみに直接従属することがあるが、可能な態様の開示は、特許請求の範囲中のあらゆる他の請求項と組み合わせた各従属請求項を含む。項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素をもつ任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【０１６３】
[00176]本明細書で使用されるいかなる要素、行為、または命令も、明示的にそのように説明されない限り、重要または必須と解釈されるべきではない。また、本明細書で使用される冠詞「ａ」および「ａｎ」は、１つまたは複数の項目を含むものであり、「１つまたは複数」と互換的に使用され得る。さらに、本明細書で使用される「セット」および「グループ」という用語は、１つまたは複数の項目（たとえば、関係する項目、無関係の項目、関係する項目と無関係の項目の組合せなど）を含むものであり、「１つまたは複数」と互換的に使用され得る。１つの項目のみが意図される場合、「１つ」という用語または同様の言い回しが使用される。また、本明細書で使用される「有する（ｈａｓ）」、「有する（ｈａｖｅ）」、「有する（ｈａｖｉｎｇ）」などの用語は、オープンエンド用語であるものとする。さらに、「に基づく」という句は、別段に明記されていない限り、「に少なくとも部分的に基づく」を意味するものである。
【図１】
2020533887.tif 000003
【図２】
2020533887.tif 000004
【図３Ａ】
2020533887.tif 000005
【図３Ｂ】
2020533887.tif 000006
【図４】
2020533887.tif 000007
【図５】
2020533887.tif 000008
【図６】
2020533887.tif 000009
【図７】
2020533887.tif 000010
【図８】
2020533887.tif 000011
【図９】
2020533887.tif 000012
【図１０】
2020533887.tif 000013
【図１１】
2020533887.tif 000014
【図１２】
2020533887.tif 000015
【図１３】
2020533887.tif 000016
【国際調査報告】
2020533887.tif 000017
2020533887.tif 000018